(57)【要約】  改善された装着型光学装置が開示される。装着型光学装置は、フレーム部材及びレンズを含む。装着型光学装置はまた、装着型光学装置の使用を改善するために、フレーム部材内に回路を含む。本発明によるシステム及び方法は、眼鏡の使用を改善する様々な方法に関する。それらは、（１）メディアフォーカル、即ち、装着型光学装置を、その意図した目的のために利用すること、及びユーザの視力を改善するために、撮像技術を用いることによって装着型光学装置の使用を改善することと、（２）携帯電話などの電気通信装置と眼鏡を統合できるようにする電気通信の改善と、（３）ＭＰ３プレーヤ、ラジオなどの装置と装着型光学装置を統合できるようにする娯楽の向上と、である。
2016515897.tif 000002
【特許請求の範囲】
【請求項１】
装着型光学装置で動的視標追跡を利用することであって、ユーザに個人化されたパラメータが、前記動的視標追跡に基づいて提供され得ることを含む方法。
【請求項２】
知覚パラメータに基づいた客観的及び主観的品質基準を利用する改善を提供することを含む、請求項１に記載の方法。
【請求項３】
前記知覚パラメータが、光学表現、音声、脳波、環境、オーディオ、ビデオ、ナビゲーション、拡張現実感、アルゴリズム、空間、認識、解釈のいずれか又は任意の組み合わせを含む、請求項２に記載の方法。
【請求項４】
前記装着型光学装置が、模倣のいずれか又は任意の組み合わせを制御し、知覚パラメータを用いてユーザの知覚生理学を増幅又は拡張する、請求項２に記載の方法。
【請求項５】
前記光学表現が画像である、請求項４に記載の方法。
【請求項６】
前記装着型光学装置が、眼鏡への１つ又は複数の挿入物を含む、請求項１に記載の方法。
【請求項７】
前記眼鏡がカッド状眼鏡を含む、請求項６に記載の方法。
【請求項８】
遮光制御が、前記装着型光学装置上で利用される、請求項１に記載の方法。
【請求項９】
前記遮光制御が、前記装着型光学装置内の１つ又は複数のプロジェクタによって提供される、請求項８に記載の方法。
【請求項１０】
吸蔵効果が、前記装着型光学装置のレンズ上に投射される、請求項９に記載の方法。
【請求項１１】
遮光が、周辺エリアが吸蔵又は反転される前記装着型光学装置のレンズ上で提供される、請求項９に記載の方法。
【請求項１２】
遮光が偏光フィルタによって提供される、請求項９に記載の方法。
【請求項１３】
前記遮光制御が、前記装着型光学装置内の前記レンズによって提供される、請求項８に記載の方法。
【請求項１４】
遮光が、前記周辺エリアが吸蔵又は反転される前記装着型光学装置のレンズ上で提供される、請求項１３に記載の方法。
【請求項１５】
遮光が偏光フィルタによって提供される、請求項１３に記載の方法。
【請求項１６】
前記遮光が、光学パラメータを用いて制御される、請求項８に記載の方法。
【請求項１７】
前記光学パラメータが、毛様体、瞳、角膜、水晶体、虹彩、目蓋、網膜測定値のいずれか又は任意の組み合わせを含む、請求項１６に記載の方法。
【請求項１８】
前記装着型光学装置の色特性、屈折特性、回折特性、透明特性、反射特性のいずれか又は任意の組み合わせを電気的に制御できる材料が、前記動的視標追跡で利用される、請求項１に記載の方法。
【請求項１９】
前記装着型光学装置が、透明ＬＣＤ材料、ＬＥＤ材料、ＯＬＥＤ材料、可撓性ＬＥＤ材料、可撓性ＯＬＥＤ材料、透明マトリックス材料、半透明マトリックス材料、プリズムベース材料、ホログラフィ材料、エレクトロルミネセンス材料、電界反射材料、動的フィルタリング材料のいずれか又は任意の組み合わせを含む、請求項１に記載の方法。
【請求項２０】
前記装着型光学装置が、エレクトロクロマティック材料を含む、請求項１に記載の方法。
【請求項２１】
１つ又は複数の要素が、画像情報を前記目に提供するために、前記装着型光学装置内で利用される、請求項１に記載の方法。
【請求項２２】
前記１つ又は複数の要素が、レンズプロジェクタ、網膜投射のいずれか又は任意の組み合わせを含む、請求項１に記載の方法。
【請求項２３】
前記網膜投射が吸蔵を提供する、請求項２２に記載の方法。
【請求項２４】
前記装着型光学装置が、電界屈折又は回折材料を含む、請求項１に記載の方法。
【請求項２５】
前記装着型光学装置が、遮光制御を含む、請求項１に記載の方法。
【請求項２６】
前記装着型光学装置によって見られる画像部分が、輝度を制御するために遮光される、請求項２５に記載の方法。
【請求項２７】
装着型光学装置が、制御された屈折レンズを含む、請求項１に記載の方法。
【請求項２８】
前記装着型光学装置が、多色材料を含む、請求項１に記載の方法。
【請求項２９】
前記パラメータが、ユーザの視力、ズーム機能、顕微鏡機能、拡大機能、網膜投射機能を改善するための処方のいずれか又は任意の組み合わせを含む、請求項１に記載の方法。
【請求項３０】
前記装着型光学装置が、シミュレータにおいて利用される、請求項１に記載の方法。
【請求項３１】
前記装着型光学装置のフォーカルが、前記動的視標追跡と共に利用される、請求項１に記載の方法。
【請求項３２】
前記パラメータが、ズーム機能、顕微鏡機能、拡大機能、照明機能、網膜投射機能のいずれか又は任意の組み合わせを含む、請求項１に記載の方法。
【請求項３３】
３６０度の視界が提供される、請求項１に記載の方法。
【請求項３４】
前記３６０度の視界が、左又は右パニング、上及び下パニング、３次元回転のいずれか又は任意の組み合わせとすることができる、請求項３３に記載の方法。
【請求項３５】
照明機能が、前記動的視標追跡機構に基づいた特定の領域に向けられる、請求項１に記載の方法。
【請求項３６】
前記装着型光学装置が、制御されたビューイング又は視覚効果用に或る光波をフィルタリングするレンズを含む、請求項１に記載の方法。
【請求項３７】
前記照明機能が、ノイズ低減、偏光、及び創造的効果を制御することを含む、請求項３５に記載の方法。
【請求項３８】
前記照明機能が、顔焦点又は対象物焦点用の安定性制御を管理することを含む、請求項３５に記載の方法。
【請求項３９】
前記光学パラメータが利用される、請求項３５に記載の方法。
【請求項４０】
前記光学パラメータが、毛様体、瞳、角膜、網膜、水晶体、虹彩測定値のいずれか又は任意の組み合わせを含む、請求項３９に記載の方法。
【請求項４１】
頭部運動を検出することを含む、請求項１に記載の方法。
【請求項４２】
音波機構が、前記装着型光学装置内で利用される、請求項１に記載の方法。
【請求項４３】
脳波機構が、前記装着型光学装置内で利用される、請求項１に記載の方法。
【請求項４４】
磁気波機構が、前記装着型光学装置内で利用される、請求項１に記載の方法。
【請求項４５】
前記パラメータが、１人又は複数の第三者に送信され得る、請求項１に記載の方法。
【請求項４６】
前記パラメータが、ユーザと関係する運動情報である、請求項１に記載の方法。
【請求項４７】
前記光学パラメータが利用される、請求項４６に記載の方法。
【請求項４８】
前記光学パラメータが、毛様体、瞳、角膜、網膜、水晶体、虹彩測定値のいずれか又は任意の組み合わせを含む、請求項４７に記載の方法。
【請求項４９】
前記装着型光学装置が、参加者によって競技種目に関連して利用される、請求項１に記載の方法。
【請求項５０】
前記装着型光学装置が、観客によって競技種目に関連して利用される、請求項１に記載の方法。
【請求項５１】
前記運動情報が、前記ユーザ用のトレーニング情報を含む、請求項４６に記載の方法。
【請求項５２】
前記方法が、１つ又は複数のカメラコンポーネント及び１つ又は複数の通信コンポーネントを利用する、請求項１に記載の方法。
【請求項５３】
前記カメラコンポーネントが、透明ＬＣＤ材料、ＬＥＤ材料、ＯＬＥＤ材料、可撓性ＬＥＤ材料、可撓性ＯＬＥＤ材料、透明マトリックス材料、半透明マトリックス材料、プリズムベース材料、ホログラフィ材料、エレクトロルミネセンス材料、電界反射材料、電界屈折材料、動的フィルタリング材料、屈折材料のいずれか又は任意の組み合わせを利用する、請求項５２に記載の方法。
【請求項５４】
前記カメラコンポーネントが、制御されたビューイング又は視覚効果用に或る光波のフィルタリングを利用する、請求項５２に記載の方法。
【請求項５５】
前記方法が、拡張現実感を提供するために、１つ又は複数のカメラコンポーネント及び１つ又は複数の通信コンポーネントを利用する、請求項１に記載の方法。
【請求項５６】
前記パラメータが、競技種目の遂行で前記ユーザを支援するために、前記１つ又は複数のカメラコンポーネント上にズーム機能を含む、請求項５５に記載の方法。
【請求項５７】
前記パラメータが、前記ユーザと関係する医学的特徴である、請求項１に記載の方法。
【請求項５８】
光学パラメータが利用される、請求項５７に記載の方法。
【請求項５９】
前記光学パラメータが、毛様体、瞳、角膜、網膜、水晶体、虹彩測定値のいずれか又は任意の組み合わせを含む、請求項５８に記載の方法。
【請求項６０】
前記パラメータが、患者の歯の特徴である、請求項１に記載の方法。
【請求項６１】
光学パラメータが利用される、請求項６０に記載の方法。
【請求項６２】
前記光学パラメータが、毛様体、瞳、角膜、網膜、水晶体、虹彩測定値のいずれか又は任意の組み合わせを含む、請求項６１に記載の方法。
【請求項６３】
前記光学パラメータが、痛み又は他の歯の状態を検出するために利用される、請求項５７に記載の方法。
【請求項６４】
前記患者の前記歯の特徴が、拡張現実感を用いて歯科処置を前記患者に実行するために、前記装着型光学装置を用いて歯科医によって受信され得る、請求項６０に記載の方法。
【請求項６５】
光、音波、超音波、ｘ線、又は赤外線のいずれか又は任意の組み合わせが、前記動的視標追跡機構で利用される、請求項１に記載の方法。
【請求項６６】
前記パラメータが、前記歯科処置を実行する際に前記歯科医を支援するためのズーム機能を含む、請求項６０に記載の方法。
【請求項６７】
前記歯科処置が、歯を削ること、抜歯、歯の掃除、及び根管のいずれか又は任意の組み合わせを含む、請求項６６に記載の方法。
【請求項６８】
知覚入力が、センサを利用して提供される、請求項１に記載の方法。
【請求項６９】
光学パラメータが利用される、請求項６８に記載の方法。
【請求項７０】
前記光学パラメータが、毛様体、瞳、角膜、網膜、水晶体、虹彩測定値のいずれか又は任意の組み合わせを含む、請求項６９に記載の方法。
【請求項７１】
前記センサが、ジャイロスコープ、加速度計、トルクセンサ、重量センサ、圧力センサ、磁力計、温度センサ、光センサ、カメラ及びマイクロホン、ＧＰＳ、無線検出、高度センサ、血圧、心拍数センサ、生体センサ、無線周波数識別（ＲＦＩＤ）、近距離無線通信（ＮＦＣ）、移動通信、Ｗｉ−Ｆｉ、歪みゲージ、指紋センサ、匂いセンサ、ガスセンサ、化学センサ、色センサ、音センサ、音響センサ、紫外線センサ、電界センサ、磁界センサ、重力センサ、風速センサ、風向センサ、コンパスセンサ、ジオロケータセンサ、偏光センサ、赤外線エミッタセンサのいずれか又は任意の組み合わせを含む、請求項６８に記載の方法。
【請求項７２】
前記センサが無線で結合される、請求項６４に記載の方法。
【請求項７３】
前記センサが、ＵＳＢ無線接続を介して結合される、請求項７２に記載の方法。
【請求項７４】
前記センサが、Ｂｌｕｅｔｏｏｔｈ（登録商標）無線接続を介して結合される、請求項７２に記載の方法。
【請求項７５】
前記センサが、有線によってフレームに接続されるか、又は無線で接続されるイヤピースを含む、請求項７１に記載の方法。
【請求項７６】
前記イヤピースが、耳筋を測定する、請求項７５に記載の方法。
【請求項７７】
前記耳筋測定値が、音響ボリューム又は音響焦点を調整するために利用される、請求項７６に記載の方法。
【請求項７８】
前記センサが、有線によってフレームに接続されるか、又は無線で接続されるマイクロホンを含む、請求項７６に記載の方法。
【請求項７９】
前記マイクロホンが、カメラ、赤外線カメラ、撮像センサのいずれか又は任意の組み合わせと組み合わされて用いられる、請求項７８に記載の方法。
【請求項８０】
前記センサが、ノイズキャンセル用のマイクロホンを含むスピーカを含むイヤピースを含む、請求項６８に記載の方法。
【請求項８１】
前記方法が、１つ又は複数の分散ネットワークを利用して実行される、請求項１に記載の方法。
【請求項８２】
入力／出力（Ｉ／Ｏ）能力が、前記装着型光学装置と統合される、請求項１に記載の方法。
【請求項８３】
遠隔装置が、前記Ｉ／Ｏ能力を用いて利用される、請求項８２に記載の方法。
【請求項８４】
異なるメディアが、前記動的視標追跡に基づいてオーバーレイされ得る、請求項１に記載の方法。
【請求項８５】
異なるメディアが、前記動的視標追跡に基づいて混合され得る、請求項１に記載の方法。
【請求項８６】
前記装着型光学装置への無線入力を含む、請求項１に記載の方法。
【請求項８７】
前記歯科処置の結果が、１人又は複数の第三者に送信され得る、請求項６０に記載の方法。
【請求項８８】
前記医学的特徴が、患者の解剖学的特徴を含む、請求項５７に記載の方法。
【請求項８９】
拡張現実感を利用して医療処置を前記患者に実行するために、前記患者の前記解剖学的特徴が、前記装着型光学装置を用いて医師によって受信され得る、請求項８８に記載の方法。
【請求項９０】
前記パラメータが、前記医療処置を実行する際に前記医師を支援するためにズーム機能を含む、請求項１に記載の方法。
【請求項９１】
前記医療処置が、外科及び／又は診断処置を含む、請求項９０に記載の方法。
【請求項９２】
前記医療処置の結果が、１人又は複数の第三者に送信され得る、請求項９１に記載の方法。
【請求項９３】
広告が、前記動的視標追跡に基づいて提供される、請求項１に記載の方法。
【請求項９４】
光学パラメータが利用される、請求項９３に記載の方法。
【請求項９５】
前記光学パラメータが、毛様体、瞳、角膜、網膜、水晶体、虹彩測定値のいずれか又は任意の組み合わせを含む、請求項９４に記載の方法。
【請求項９６】
前記広告が、前記装着型光学装置の前記ユーザに最も近い製品又はサービスを広告する、請求項９３に記載の方法。
【請求項９７】
広告ターゲットが、眼球運動、ＧＰＳ、無線位置測定、加速度計、及びジャイロスコープのいずれか又は任意の組み合わせによって決定される、請求項９６に記載の方法。
【請求項９８】
前記装着型光学装置が、ベンダーにビューイング情報を提供するために、広告を見ることができる、請求項９７に記載の方法。
【請求項９９】
前記広告が、前記装着型光学装置の前記ユーザに見える広告看板上にあるように見える、請求項９３に記載の方法。
【請求項１００】
動的視標追跡が、前記タブレット、パーソナルコンピュータ、携帯機器、携帯電話装着型センサ、装着型装置等を伴うユーザアプリケーションとインターフェースするために利用される、請求項１に記載の方法。
【請求項１０１】
光学パラメータが利用される、請求項１００に記載の方法。
【請求項１０２】
前記光学パラメータが、毛様体、瞳、角膜、網膜、水晶体、虹彩測定値のいずれか又は任意の組み合わせを含む、請求項１０１に記載の方法。
【請求項１０３】
アプリケーションが、前記装着型光学装置のプロセッサ上を走行する、請求項１に記載の方法。
【請求項１０４】
前記動的視標追跡が、ナビゲーション用に前記目の前記瞳の動きを利用する、請求項１に記載の方法。
【請求項１０５】
前記動的視標追跡が、対象物を制御するために利用される、請求項１に記載の方法。
【請求項１０６】
前記動的視標追跡が、顔認識技術を組み込む、請求項１に記載の方法。
【請求項１０７】
前記動的視標追跡が、対象物認識技術を組み込む、請求項１に記載の方法。
【請求項１０８】
前記動的視標追跡が、音声認識技術を組み込む、請求項１に記載の方法。
【請求項１０９】
前記装着型光学装置が、眼鏡上に複数のレンズを含む、請求項１に記載の方法。
【請求項１１０】
前記複数のレンズが、制御された屈折レンズを含む、請求項１０９に記載の方法。
【請求項１１１】
前記複数のレンズが、多色材料を含む、請求項１０９に記載の方法。
【請求項１１２】
前記複数のレンズが、屈折、回折材料のいずれか又は任意の組み合わせを含む、請求項１０９に記載の方法。
【請求項１１３】
前記複数のレンズが、透明ＬＣＤ材料、ＬＥＤ材料、ＯＬＥＤ材料、可撓性ＬＥＤ材料、可撓性ＯＬＥＤ材料、透明マトリックス材料、半透明マトリックス材料、プリズムベース材料、ホログラフィ材料、エレクトロルミネセンス材料、電界反射材料、動的フィルタリング材料のいずれか又は任意の組み合わせを含む、請求項１０９に記載の方法。
【請求項１１４】
前記複数のレンズが、単一の総合システムを含む、請求項１０９に記載の方法。
【請求項１１５】
遮光制御が、前記複数のレンズ上で利用される、請求項１０９に記載の方法。
【請求項１１６】
前記装着型光学装置が、コード化された画像を見ることができる、請求項１に記載の方法。
【請求項１１７】
前記装着型光学装置が、ソーシャルネットワーキングアプリケーションと共に利用される、請求項１に記載の方法。
【請求項１１８】
光学パラメータが利用される、請求項１１７に記載の方法。
【請求項１１９】
前記光学パラメータが、毛様体、瞳、角膜、網膜、水晶体、虹彩測定値のいずれか又は任意の組み合わせを含む、請求項１１８に記載の方法。
【請求項１２０】
前記光学パラメータが、友人、会社位置、社歴、関係状況、関係者のいずれか又は任意の組み合わせを含む選択を識別するために利用される、請求項１１８に記載の方法。
【請求項１２１】
前記光学パラメータが、前記ソーシャルネットワーキングアプリケーションの内部及び外部のナビゲーションのために利用される、請求項１１８に記載の方法。
【請求項１２２】
前記装着型光学装置が、友人、ｌｉｎｋｅｄ−ｉｎ関係者、フォロワのいずれか又は任意の組み合わせを視野内のハイライトによって見ることができる、請求項１１７に記載の方法。
【請求項１２３】
光学パラメータが利用される、請求項１２２に記載の方法。
【請求項１２４】
前記光学パラメータが、毛様体、瞳、角膜、網膜、水晶体、虹彩測定値のいずれか又は任意の組み合わせを含む、請求項１３１に記載の方法。
【請求項１２５】
前記ユーザによる視標追跡が、光学パラメータに基づいて前記ターゲットに関する情報を決定するために利用される、請求項１３１に記載の方法。
【請求項１２６】
前記装着型光学装置が、赤外線又は動作検出のために利用される、請求項１に記載の方法。
【請求項１２７】
迅速な動作符号化が、動的視標追跡と共に利用される、請求項１に記載の方法。
【請求項１２８】
ＤＶＲ機能が、動的視標追跡と共に利用される、請求項１に記載の方法。
【請求項１２９】
前記ＤＶＲ機能が、プレー、停止、記録、及びリプレーのいずれか又は任意の組み合わせを含む、請求項１２８に記載の方法。
【請求項１３０】
前記装着型光学装置が、ダンス及びフィットネスのために利用される、請求項１に記載の方法。
【請求項１３１】
レンズと、
前記レンズと通信する動的視標追跡機構であって、ユーザに個人化されたパラメータが、前記動的視標追跡に基づいて提供され得る動的視標追跡機構と、
を含む装着型光学装置。
【請求項１３２】
知覚パラメータに基づいた客観的及び主観的品質基準を利用して改善を提供することを含む、請求項１３１に記載の装着型光学装置。
【請求項１３３】
前記知覚パラメータが、光学表現、音声、脳波、環境、オーディオ、ビデオ、ナビゲーション、拡張現実感、アルゴリズム、空間、認識、解釈、表情のいずれか又は任意の組み合わせを含む、請求項１３２に記載の装着型光学装置。
【請求項１３４】
前記光学表現が画像である、請求項１３３に記載の装着型光学装置。
【請求項１３５】
前記装着型光学装置が、模倣のいずれか又は任意の組み合わせを制御し、知覚パラメータを用いてユーザの知覚生理学を増幅又は拡張する、請求項１３３に記載の装着型光学装置。
【請求項１３６】
前記装着型光学装置が、眼鏡への１つ又は複数の挿入物を含む、請求項１３１に記載の装着型光学装置。
【請求項１３７】
前記眼鏡がカッド状眼鏡を含む、請求項１３６に記載の装着型光学装置。
【請求項１３８】
遮光制御が、前記レンズ上で利用される、請求項１３１に記載の装着型光学装置。
【請求項１３９】
前記遮光が、光学パラメータを用いて制御される、請求項１３８の装着型光学装置。
【請求項１４０】
前記光学パラメータが、毛様体、瞳、角膜、網膜、水晶体、虹彩測定値のいずれか又は任意の組み合わせを含む、請求項１３９に記載の装着型光学装置。
【請求項１４１】
前記レンズが、透明ＬＣＤ材料、ＬＥＤ材料、ＯＬＥＤ材料、可撓性ＬＥＤ材料、可撓性ＯＬＥＤ材料、透明マトリックス材料、半透明マトリックス材料、プリズムベース材料、ホログラフィ材料、エレクトロルミネセンス材料、電界反射材料、動的フィルタリング材料、屈折材料のいずれか又は任意の組み合わせを含む、請求項１３９に記載の装着型光学装置。
【請求項１４２】
前記装着型光学装置の色特性、屈折特性、回折特性、透明特性、反射特性のいずれか又は任意の組み合わせを電気的に制御できる材料が、前記動的視標追跡で利用される、請求項１３９に記載の装着型光学装置。
【請求項１４３】
前記装着型光学装置が、遮光制御を含む、請求項１４２に記載の装着型光学装置。
【請求項１４４】
前記遮光が、光学パラメータを用いて制御される、請求項１４３に記載の装着型光学装置。
【請求項１４５】
前記光学パラメータが、毛様体、瞳、角膜、網膜、水晶体、虹彩測定値のいずれか又は任意の組み合わせを含む、請求項１４４に記載の装着型光学装置。
【請求項１４６】
前記レンズによって見られる画像部分が、輝度を最小化するために遮光される、請求項１４３に記載の装着型光学装置。
【請求項１４７】
レンズが、制御された屈折レンズを含む、請求項１３１に記載の装着型光学装置。
【請求項１４８】
前記レンズが多色材料を含む、請求項１３１に記載の装着型光学装置。
【請求項１４９】
前記装着型光学装置が、エレクトロクロマティック材料を含む、請求項１３１に記載の装着型光学装置。
【請求項１５０】
１つ又は複数の要素が、画像情報を前記目に提供するために、前記装着型光学装置内で利用される、請求項１３１に記載の装着型光学装置。
【請求項１５１】
前記１つ又は複数の要素が、レンズプロジェクタ、網膜投射のいずれか又は任意の組み合わせを含む、請求項１５０に記載の装着型光学装置。
【請求項１５２】
遮光、逆遮光、又は吸蔵が、レンズプロジェクタ、網膜投射のいずれか又は任意の組み合わせによって提供される、請求項１５１に記載の装着型光学装置。
【請求項１５３】
前記装着型光学装置が、電界屈折材料を含む、請求項１３１に記載の装着型光学装置。
【請求項１５４】
前記パラメータが、ユーザの視力、ズーム機能、顕微鏡機能、網膜投射機能を改善するための処方のいずれか又は任意の組み合わせを含む、請求項１３１に記載の装着型光学装置。
【請求項１５５】
光学パラメータが利用される、請求項１５４に記載の装着型光学装置。
【請求項１５６】
前記光学パラメータが、毛様体、瞳、角膜、網膜、水晶体、虹彩測定値のいずれか又は任意の組み合わせを含む、請求項１５５に記載の装着型光学装置。
【請求項１５７】
前記パラメータが、ズーム機能、顕微鏡機能、拡大機能、照明機能、網膜投射機能のいずれか又は任意の組み合わせを含む、請求項１３１に記載の装着型光学装置。
【請求項１５８】
照明機能が、前記動的視標追跡に基づいた特定の領域に向けられる、請求項１５７に記載の装着型光学装置。
【請求項１５９】
前記装着型光学装置が、シミュレータにおいて利用される、請求項１３１に記載の装着型光学装置。
【請求項１６０】
前記装着型光学装置の前記ユーザの焦点が、前記動的視標追跡と共に利用される、請求項１３１に記載の装着型光学装置。
【請求項１６１】
前記パラメータが、ズーム機能、顕微鏡機能、拡大機能、照明機能、プロジェクタ機能、網膜投射機能のいずれか又は任意の組み合わせを含む、請求項１３１に記載の装着型光学装置。
【請求項１６２】
３６０度の視界が提供される、請求項１３１に記載の装着型光学装置。
【請求項１６３】
前記３６０度の視界が、左又は右パニング、上及び下パニング、３次元回転のいずれか又は任意の組み合わせとすることができる、請求項１６２に記載の装着型光学装置。
【請求項１６４】
照明機能が、前記動的視標追跡機構に基づいた特定の領域に向けられる、請求項１３１に記載の装着型光学装置。
【請求項１６５】
制御されたビューイング又は視覚効果用の或る光波のためのフィルタリングである、請求項１３１に記載の装着型光学装置。
【請求項１６６】
前記フィルタリングが、前記照明ノイズ低減、偏光、及び創造的な効果を制御することを含む、請求項１６５に記載の装着型光学装置。
【請求項１６７】
顔焦点又は対象物焦点用の安定性制御を管理することを含む、請求項１３１に記載の装着型光学装置。
【請求項１６８】
音波機構が、前記装着型光学装置内で利用される、請求項１３１に記載の装着型光学装置。
【請求項１６９】
脳波機構が、前記装着型光学装置内で利用される、請求項１３１に記載の装着型光学装置。
【請求項１７０】
磁気波機構が、前記装着型光学装置内で利用される、請求項１３１に記載の装着型光学装置。
【請求項１７１】
前記パラメータが、１人又は複数の第三者に送信され得る、請求項１３１に記載の装着型光学装置。
【請求項１７２】
前記パラメータが、ユーザと関係する運動情報である、請求項１３１に記載の装着型光学装置。
【請求項１７３】
光学パラメータが利用される、請求項１７２に記載の装着型光学装置。
【請求項１７４】
前記光学パラメータが、毛様体、瞳、角膜、網膜、水晶体、虹彩測定値のいずれか又は任意の組み合わせを含む、請求項１７３に記載の装着型光学装置。
【請求項１７５】
前記１つ又は複数のカメラコンポーネント及び１つ又は複数の通信コンポーネントが利用される、請求項１３１に記載の装着型光学装置。
【請求項１７６】
前記カメラコンポーネントが、透明ＬＣＤ材料、ＬＥＤ材料、ＯＬＥＤ材料、可撓性ＬＥＤ材料、可撓性ＯＬＥＤ材料、透明マトリックス材料、半透明マトリックス材料、プリズムベース材料、ホログラフィ材料、エレクトロルミネセンス材料、電界反射材料、動的フィルタリング材料、屈折材料のいずれか又は任意の組み合わせを利用する、請求項１７５に記載の装着型光学装置。
【請求項１７７】
前記装着型光学装置が、参加者によって競技種目に関連して利用される、請求項１３１に記載の装着型光学装置。
【請求項１７８】
前記装着型光学装置が、観客によって競技種目に関連して利用される、請求項１３１に記載の装着型光学装置。
【請求項１７９】
拡張現実感を提供するために、カメラコンポーネント、通信コンポーネントを含む、請求項１３１に記載の装着型光学装置。
【請求項１８０】
前記パラメータが、競技種目の遂行で前記ユーザを支援するために、前記カメラコンポーネント上にズーム機能を含む、請求項１７９に記載の装着型光学装置。
【請求項１８１】
前記パラメータが、前記ユーザに関係する医学的特徴である、請求項１３１に記載の装着型光学装置。
【請求項１８２】
前記パラメータが、患者の歯の特徴である、請求項１３１に記載の装着型光学装置。
【請求項１８３】
光学パラメータが利用される、請求項１８２に記載の装着型光学装置。
【請求項１８４】
前記光学パラメータが、毛様体、瞳、角膜、網膜、水晶体、虹彩測定値のいずれか又は任意の組み合わせを含む、請求項１８３に記載の装着型光学装置。
【請求項１８５】
前記光学パラメータが、痛み又は他の歯の状態を検出するために利用される、請求項１８３に記載の装着型光学装置。
【請求項１８６】
前記患者の前記歯の特徴が、拡張現実感を用いて歯科処置を前記患者に実行するために、前記装着型光学装置を用いて歯科医によって受信され得る、請求項１８２に記載の装着型光学装置。
【請求項１８７】
光、超音波、ｘ線、音響又は赤外線のいずれか又は任意の組み合わせが、前記動的視標追跡機構で利用される、請求項１３１に記載の装着型光学装置。
【請求項１８８】
前記パラメータが、前記歯科処置を実行する際に前記歯科医を支援するためにズーム機能を含む、請求項１８２に記載の装着型光学装置。
【請求項１８９】
前記歯科処置が、歯を削ること、抜歯、歯の掃除、及び根管のいずれか又は任意の組み合わせを含む、請求項１８３に記載の装着型光学装置。
【請求項１９０】
センサが、知覚入力を前記装置に提供するために利用される、請求項１３１に記載の装着型光学装置。
【請求項１９１】
前記センサが無線で結合される、請求項１９０に記載の装着型光学装置。
【請求項１９２】
前記センサが、ＵＳＢ無線接続を介して結合される、請求項１９０に記載の装着型光学装置。
【請求項１９３】
前記センサが、Ｂｌｕｅｔｏｏｔｈ（登録商標）無線接続を介して結合される、請求項１９０に記載の装着型光学装置。
【請求項１９４】
前記センサが、ジャイロスコープ、加速度計、圧力センサ、トルクセンサ、重量センサ、磁力計、温度センサ、光センサ、カメラ及びマイクロホン、ＧＰＳ、無線検出、高度センサ、血圧、心拍数センサ、生体センサ、無線周波数識別（ＲＦＩＤ）、近距離無線通信（ＮＦＣ）、移動通信、Ｗｉ−Ｆｉ、歪みゲージ、指紋センサ、匂いセンサ、ガスセンサ、化学センサ、色センサ、音センサ、音響センサ、紫外線センサ、電界センサ、磁界センサ、重力センサ、風速センサ、風向センサ、コンパスセンサ、ジオロケータセンサ、偏光センサ、赤外線エミッタセンサのいずれか又は任意の組み合わせを含む、請求項１９０に記載の装着型光学装置。
【請求項１９５】
前記センサが、有線によってフレームに接続されるか、又は無線で接続されるイヤピースを含む、請求項１９４に記載の装着型光学装置。
【請求項１９６】
前記イヤピースが、前記耳筋を測定する、請求項１９５に記載の装着型光学装置。
【請求項１９７】
前記耳筋測定値が、音響ボリューム又は音響焦点を調整するために利用される、請求項１９６に記載の装着型光学装置。
【請求項１９８】
前記センサが、フレームに接続された有線によって接続されるか、又は無線で接続されるマイクロホンを含む、請求項１９４に記載の装着型光学装置。
【請求項１９９】
前記マイクロホンが、カメラ、赤外線カメラ、撮像センサのいずれか又は任意の組み合わせと組み合わされて用いられる、請求項１９８に記載の装着型光学装置。
【請求項２００】
前記センサが、ノイズキャンセル用のマイクロホンを含むスピーカを含むイヤピースを含む、請求項１９４に記載の装着型光学装置。
【請求項２０１】
１つ又は複数の分散ネットワークが、前記装着型光学装置によって利用される、請求項１３１に記載の装着型光学装置。
【請求項２０２】
前記装着型光学装置に統合された入力／出力（Ｉ／Ｏ）能力を含む、請求項１３１の前記装着型光学装置。
【請求項２０３】
遠隔装置が、前記Ｉ／Ｏ能力を用いて利用される、請求項２０２に記載の装着型光学装置。
【請求項２０４】
異なるメディアが、前記動的視標追跡に基づいてオーバーレイされ得る、請求項１３１に記載の装着型光学装置。
【請求項２０５】
異なるメディアが、前記視標追跡機構に基づいて混合され得る、請求項１３１に記載の装着型光学装置。
【請求項２０６】
無線入力を含む、請求項２０５に記載の装着型光学装置。
【請求項２０７】
前記歯科処置の結果が、１人又は複数の第三者に送信され得る、請求項１８２に記載の装着型光学装置。
【請求項２０８】
前記医学的特徴が、患者の解剖学的特徴を含む、請求項１８１に記載の装着型光学装置。
【請求項２０９】
拡張現実感を利用して医療処置を前記患者に実行するために、前記患者の前記解剖学的特徴が、前記装着型光学装置を用いて医師によって受信され得る、請求項２０８に記載の装着型光学装置。
【請求項２１０】
前記パラメータが、前記医療処置を実行する際に医師を支援するためにズーム機能を含む、請求項１３１に記載の装着型光学装置。
【請求項２１１】
前記医療処置が、外科及び／又は診断処置を含む、請求項２１０に記載の装着型光学装置。
【請求項２１２】
前記医療処置の結果が、１人又は複数の第三者に送信され得る、請求項２１０に記載の装着型光学装置。
【請求項２１３】
広告が、前記視標追跡機構に基づいて提供される、請求項１３１に記載の装着型光学装置。
【請求項２１４】
広告ターゲットが、眼球運動、ＧＰＳ、無線位置測定、及びジャイロスコープのいずれか又は任意の組み合わせによって決定される、請求項１３１に記載の装着型光学装置。
【請求項２１５】
広告が、ユーザパラメータに基づいて提供される、請求項１３１に記載の装着型光学装置。
【請求項２１６】
前記装着型光学装置の前記ユーザに最も近い製品又はサービスが広告される、請求項２１５に記載の装着型光学装置。
【請求項２１７】
前記装着型光学装置が、ベンダーにビューイング情報を提供するために、広告を見ることができる、請求項２１５に記載の装着型光学装置。
【請求項２１８】
前記広告が、前記装着型光学装置の前記ユーザに見える広告看板上にあるように見える、請求項２１５に記載の装着型光学装置。
【請求項２１９】
前記動的視標追跡機構が、前記タブレット、携帯機器、携帯電話等を伴うユーザアプリケーションとインターフェースするために利用される、請求項１３１に記載の装着型光学装置。
【請求項２２０】
前記アプリケーションが、前記装着型光学装置のプロセッサ上を走行する、請求項１３１に記載の装着型光学装置。
【請求項２２１】
動的視標追跡機構が、ナビゲーション用に前記目の前記瞳の動きを利用する、請求項１３１に記載の装着型光学装置。
【請求項２２２】
前記動的視標追跡機構が、対象物を制御するために利用される、請求項１３１に記載の装着型光学装置。
【請求項２２３】
前記動的視標追跡機構が、顔認識技術を組み込む、請求項１３１に記載の装着型光学装置。
【請求項２２４】
前記動的視標追跡機構が、対象物認識技術を組み込む、請求項１３１に記載の装着型光学装置。
【請求項２２５】
前記動的視標追跡機構が、音声認識技術を組み込む、請求項１３１に記載の装着型光学装置。
【請求項２２６】
アイウエアを含み、前記アイウエアが複数のレンズを含む、請求項１３１に記載の装着型光学装置。
【請求項２２７】
前記複数のレンズが、制御された屈折レンズを含む、請求項２２６に記載の装着型光学装置。
【請求項２２８】
前記複数のレンズが、多色又はエレクトロクロマティック材料のいずれか又は任意の組み合わせを含む、請求項２２６に記載の装着型光学装置。
【請求項２２９】
前記複数のレンズが、屈折又は回折材料の任意の組み合わせを含む、請求項２２６に記載の装着型光学装置。
【請求項２３０】
前記複数のレンズが、透明ＬＣＤ、ＬＥＤ、ＯＬＥＤ、可撓性ＬＥＤ、可撓性ＯＬＥＤ、透明マトリックス、半透明マトリックス、プリズムベース、ホログラフィ、エレクトロルミネセンス、電界反射、屈折、動的フィルタリングのいずれか又は任意の組み合わせを含む、請求項２２６に記載の装着型光学装置。
【請求項２３１】
前記複数のレンズが、単一の総合システムである、請求項２２６に記載の装着型光学装置。
【請求項２３２】
前記遮光制御が、前記複数のレンズ上で利用される、請求項２２６に記載の装着型光学装置。
【請求項２３３】
前記装着型光学装置が、コード化されたメディアを見ることができる、請求項１３１に記載の装着型光学装置。
【請求項２３４】
前記装着型光学装置が、ソーシャルネットワーキングアプリケーションと共に利用される、請求項１３１に記載の装着型光学装置。
【請求項２３５】
光学パラメータが利用される、請求項２３４に記載の装着型光学装置。
【請求項２３６】
前記光学パラメータが、毛様体、瞳、角膜、網膜、水晶体、虹彩測定値のいずれか又は任意の組み合わせを含む、請求項２３５に記載の装着型光学装置。
【請求項２３７】
前記装着型光学装置が、友人、ｌｉｎｋｅｄ−ｉｎ関係者、フォロワのいずれか又は任意の組み合わせを視野内のハイライトによって見ることができる、請求項２３５に記載の方法。
【請求項２３８】
前記運動情報が、陸上競技、スキー、野球、フットボール、テニス、バスケットボール及びゴルフのどれとも関係することができる、請求項１７２に記載の装着型光学装置。
【請求項２３９】
フットボールにおいて、意図されたターゲットがハイライトされる、請求項２３８に記載の装着型光学装置。
【請求項２４０】
プレーヤの特定の特徴がハイライトされる、請求項２３９に記載の装着型光学装置。
【請求項２４１】
拡張現実感が遠隔で提供される、請求項２３９に記載の装着型光学装置。
【請求項２４２】
ファーストダウン、ゴールラインなどのフィールドジオメトリの識別が提供される、請求項２３９に記載の装着型光学装置。
【請求項２４３】
各プレーヤが識別される、請求項２３９に記載の装着型光学装置。
【請求項２４４】
前記フットボール用のボールの保持が識別される、請求項２３９に記載の装着型光学装置。
【請求項２４５】
前記装着型光学装置を利用するスキーヤが、スキー情報へのアクセスを有し、前記スキー情報が、他のスキーヤの速度及び位置、土地の高度及び地形的特徴のいずれか又は任意の組み合わせを含む、請求項２３８に記載の装着型光学装置。
【請求項２４６】
野球において、意図したターゲットがハイライトされる、請求項２３８に記載の装着型光学装置。
【請求項２４７】
プレーヤの特定の特徴がハイライトされる、請求項２４６に記載の装着型光学装置。
【請求項２４８】
拡張現実感が遠隔で提供される、請求項２４６に記載の装着型光学装置。
【請求項２４９】
フィールドサイズ、ストライクゾーン及びスタンドの位置などのフィールドジオメトリの識別が提供される、請求項２４６に記載の装着型光学装置。
【請求項２５０】
各プレーヤが識別される、請求項２４６に記載の装着型光学装置。
【請求項２５１】
前記装着型光学装置が、双眼鏡として利用され得る、請求項１３１に記載の装着型光学装置。
【請求項２５２】
拡大される対象物が、眼球運動によって識別される、請求項２５１に記載の装着型光学装置。
【請求項２５３】
ズームモードにおいて、前記対象物が、前記動的視標追跡に基づいて追われる、請求項２５１に記載の装着型光学装置。
【請求項２５４】
ズームモードにおいて、前記対象物が安定される、請求項２５１に記載の装着型光学装置。
【請求項２５５】
前記ゴルフ情報が、クラブ選択、地形、風測定、及びクラブ角度のいずれか又は任意の組み合わせを含む、請求項２３８に記載の装着型光学装置。
【請求項２５６】
前記パラメータが、前記ユーザ用の情報に関係する、請求項１３１に記載の装着型光学装置。
【請求項２５７】
前記ユーザが法執行機関の職員である、請求項２５６に記載の装着型光学装置。
【請求項２５８】
前記情報が、火器の使用に関係する、請求項２５７に記載の装着型光学装置。
【請求項２５９】
前記情報が、距離計情報、風測定及び風調整のいずれか又は任意の組み合わせを含む、請求項２５８に記載の装着型光学装置。
【請求項２６０】
前記ユーザが消防職員である、請求項１３１に記載の装着型光学装置。
【請求項２６１】
前記情報が、消防設備の使用に関係する、請求項２６０に記載の装着型光学装置。
【請求項２６２】
前記情報が、火事の位置に関するＧＰＳ情報を含む、請求項２６０に記載の装着型光学装置。
【請求項２６３】
前記情報が、データベースから検索される、請求項２６０に記載の装着型光学装置。
【請求項２６４】
前記情報が、地図、建築図面及び配線略図のいずれか又は任意の組み合わせを含む、請求項２６３に記載の装着型光学装置。
【請求項２６５】
前記消防職員が拡張現実感を利用する、請求項２６０に記載の装着型光学装置。
【請求項２６６】
前記ユーザが軍人である、請求項１３１に記載の装着型光学装置。
【請求項２６７】
前記情報が、火器の使用に関係する、請求項２６６に記載の装着型光学装置。
【請求項２６８】
前記情報が、距離計情報、風測定及び風調整のいずれか又は任意の組み合わせを含む、請求項２６７に記載の装着型光学装置。
【請求項２６９】
前記情報が、データベースから検索される、請求項２６８に記載の装着型光学装置。
【請求項２７０】
前記情報が、地図、建築図面及び配線略図のいずれか又は任意の組み合わせを含む、請求項２６９に記載の装着型光学装置。
【請求項２７１】
前記軍人が、拡張現実感を利用する、請求項２６６に記載の装着型光学装置。
【請求項２７２】
前記ユーザが保安要員である、請求項１３１に記載の装着型光学装置。
【請求項２７３】
広告が、ＧＰＳ、セルラ又は他の位置に基づいたシステムのいずれか又は任意の組み合わせを利用して提供される、請求項１３１に記載の装着型光学装置。
【請求項２７４】
広告が、地図データベース及び建物データベースのいずれか又は任意の組み合わせを利用して提供される、請求項１３１に記載の装着型光学装置。
【請求項２７５】
拡張現実感が、位置に基づいて利用される、請求項１３１に記載の装着型光学装置。
【請求項２７６】
拡張現実感が、人口統計に基づいて利用される、請求項１３１に記載の装着型光学装置。
【請求項２７７】
拡張現実感が、位置条件に基づいて利用される、請求項１３１に記載の装着型光学装置。
【請求項２７８】
前記動的視標追跡機構が、対象物の特性を制御するために利用される、請求項１３１に記載の装着型光学装置。
【請求項２７９】
前記動的視標追跡機構が、前記対象物の特性を制御するために、無線周波数システムと共に利用される、請求項１３１に記載の装着型光学装置。
【請求項２８０】
前記動的視標追跡機構が、前記対象物の特性を制御するために、無線システムと共に利用される、請求項１３１に記載の装着型光学装置。
【請求項２８１】
前記動的視標追跡機構が、対象物認識のために利用される、請求項１３１に記載の装着型光学装置。
【請求項２８２】
前記対象物の前記特性が、データベースに記憶される、請求項２８１に記載の装着型光学装置。
【請求項２８３】
前記動的視標追跡機構が、顔認識技術を組み込む、請求項１３１に記載の装着型光学装置。
【請求項２８４】
オーディオ波技術が、前記動的視標追跡機構と共に利用される、請求項１３１に記載の装着型光学装置。
【請求項２８５】
前記オーディオ波技術が、オーディオ焦点を含む、請求項２８４に記載の装着型光学装置。
【請求項２８６】
前記オーディオ波技術が、ノイズキャンセルを含む、請求項２８５に記載の装着型光学装置。
【請求項２８７】
前記ノイズキャンセルが選択性である、請求項２８６に記載の装着型光学装置。
【請求項２８８】
前記選択性が、他のノイズが遮られるようにされる、請求項２８７に記載の装着型光学装置。
【請求項２８９】
前記選択性が、実生活アプリケーションと共に利用される、請求項２８７に記載の装着型光学装置。
【請求項２９０】
前記選択性が、オーディオミキシング制御が提供されるようにされる、請求項２８７に記載の装着型光学装置。
【請求項２９１】
前記選択性が、効果を生成するために、ソースのオーディオ及び周囲のオーディオが制御されるようにされる、請求項２８７に記載の装着型光学装置。
【請求項２９２】
前記ノイズキャンセルが、或る範囲の音のキャンセルに備える、請求項２８６に記載の装着型光学装置。
【請求項２９３】
前記ノイズキャンセルが、或るソースの音のキャンセルに備える、請求項２８６に記載の装着型光学装置。
【請求項２９４】
前記ノイズキャンセルが、前記動的視標追跡に基づく、請求項２８６に記載の装着型光学装置。
【請求項２９５】
前記ノイズキャンセルのクラスが存在する、請求項２８６に記載の装着型光学装置。
【請求項２９６】
非対象音がキャンセル又は低減される、請求項２８６に記載の装着型光学装置。
【請求項２９７】
人が、視標追跡を利用して選択され、選択されていない個人からの音がキャンセルされる、請求項２８６に記載の装着型光学装置。
【請求項２９８】
スピーカ及びマイクロホンが、前記フレーム上で外耳又は内耳における装置に接続される、請求項２８６に記載の装着型光学装置。
【請求項２９９】
ヘッドバンドが、前記スピーカ及びマイクロホンを保持するために利用される、請求項２８６に記載の装着型光学装置。
【請求項３００】
前記オーディオ波技術が音声認識を含む、請求項２８４に記載の装着型光学装置。
【請求項３０１】
前記オーディオ波技術が、振動検出機構を利用することを含む、請求項２８４に記載の装着型光学装置。
【請求項３０２】
前記振動検出機構が、警告のために利用される、請求項３０１に記載の装着型光学装置。
【請求項３０３】
前記振動検出機構が、前記顎、頭蓋骨、外耳及び内耳の骨伝導のいずれか又は任意の組み合わせを含む、請求項３０１に記載の装着型光学装置。
【請求項３０４】
振動が、前記メディアの前記使用を改善するために利用される、請求項２８４に記載の装着型光学装置。
【請求項３０５】
振動が、音の高品質の知覚を提供することができる、請求項２８４に記載の装着型光学装置。
【請求項３０６】
振動が、拡張現実感と共に利用され得る、請求項２８４に記載の装着型光学装置。
【請求項３０７】
顔面動作が、前記動的視標追跡機構と共に利用される、請求項１３１に記載の装着型光学装置。
【請求項３０８】
物理的なディスプレイが、前記装着型光学装置を用いていない誰にも、ぼやけたスクリーンとして見える、請求項１３１に記載の装着型光学装置。
【請求項３０９】
ソーシャルメディア機能が、前記動的視標追跡機構と共に利用される、請求項１３１に記載の装着型光学装置。
【請求項３１０】
前記ソーシャルメディア機能が、アイコンタクトメッセージを含む、請求項３０９に記載の装着型光学装置。
【請求項３１１】
前記ソーシャルメディア機能が、文字通信、インスタントメッセージング、ビデオ会議、ツイッターのいずれか又は任意の組み合わせを含むリアルタイム通信を含む、請求項３０９に記載の装着型光学装置。
【請求項３１２】
仮想読書機能が、前記動的視標追跡機構に基づいて提供される、請求項１３１に記載の装着型光学装置。
【請求項３１３】
ズーム制御が提供される、請求項３１２に記載の装着型光学装置。
【請求項３１４】
情報用にメディアの３６０度ビューイングが、前記動的視標追跡機構に基づいて提供される、請求項１３１に記載の装着型光学装置。
【請求項３１５】
仮想現実が、前記動的視標追跡機構に基づいて提供される、請求項１３１に記載の装着型光学装置。
【請求項３１６】
拡張現実感キーボードディスプレイを含む、請求項１３１に記載の装着型光学装置。
【請求項３１７】
拡張現実感マウス又はポインティング装置を含む、請求項１３１に記載の装着型光学装置。
【請求項３１８】
前記拡張現実感キーボードディスプレイが、ラップトップ、パーソナルコンピュータ、携帯電話、タブレットコンピュータのいずれか又は任意の組み合わせのために利用され得る、請求項３１６に記載の装着型光学装置。
【請求項３１９】
前記拡張現実感ディスプレイが、販売時点情報管理装置と共に利用され得る、請求項１３１に記載の装着型光学装置。
【請求項３２０】
前記拡張現実感ディスプレイが、ＲＦＩＤ又はＮＦＣ通信と共に利用され得る、請求項３１９に記載の装着型光学装置。
【請求項３２１】
前記拡張現実感ディスプレイが、オンライン又はモバイル購買に関連して利用され得る、請求項３１６に記載の装着型光学装置。
【請求項３２２】
前記拡張現実感ディスプレイが、ＲＦＩＤ又はＮＦＣ通信と共に利用され得る、請求項３２１に記載の装着型光学装置。
【請求項３２３】
ナビゲーションが、前記動的視標追跡機構と共に利用される、請求項１３１に記載の装着型光学装置。
【請求項３２４】
拡張現実感ＧＰＳが、前記動的視標追跡機構と共に利用される、請求項１３１に記載の装着型光学装置。
【請求項３２５】
ビデオ会議が、前記動的視標追跡機構と共に利用される、請求項１３１に記載の装着型光学装置。
【請求項３２６】
オーディオ会議が、前記動的視標追跡機構と共に利用される、請求項１３１に記載の装着型光学装置。
【請求項３２７】
前記オーディオ会議が、発信者ＩＤ名、電話番号、又はピクチャのいずれか又は任意の組み合わせを利用する、請求項３２６に記載の装着型光学装置。
【請求項３２８】
多数の発信者が、発信者ＩＤ名、電話番号又はピクチャーのいずれか又は任意の組み合わせによって表される、請求項３２６に記載の装着型光学装置。
【請求項３２９】
識別された発信者が、前記多数の発信者の他の者より良く聞き取れる、請求項３２６に記載の装着型光学装置。
【請求項３３０】
ツールが、前記動的視標追跡機構と共に利用される、請求項１３１に記載の装着型光学装置。
【請求項３３１】
前記ツールが、遠隔センサで利用され得る、請求項３３０に記載の装着型光学装置。
【請求項３３２】
前記遠隔センサの少なくとも１つがカメラである、請求項３３１に記載の装着型光学装置。
【請求項３３３】
前記ツールが、拡張現実感機構で利用される、請求項３３０に記載の装着型光学装置。
【請求項３３４】
拡張読唇術が利用される、請求項１３１に記載の装着型光学装置。
【請求項３３５】
言語翻訳が、前記動的視標追跡機構と共に利用される、請求項１３１に記載の装着型光学装置。
【請求項３３６】
オーバーレイ翻訳が、広告メディアにおいて利用される、請求項３３５に記載の装着型光学装置。
【請求項３３７】
オーバーレイ翻訳が、道路標識用の翻訳オーバーレイである、請求項３２４に記載の装着型光学装置。
【請求項３３８】
オーバーレイ翻訳が、拡張現実感オーバーレイである、請求項３２４に記載の装着型光学装置。
【請求項３３９】
オーバーレイ翻訳が、拡張現実感オーバーレイを提供するために、前記対象物に対する前記ユーザの視線又は前記レンズの焦点距離を用いて、前記装着型光学装置において提供される、請求項３２４に記載の装着型光学装置。
【請求項３４０】
前記装着型光学装置が、前記ユーザが任意の特定のポイントで何を見ているかを決定するために利用される、請求項１３１に記載の装着型光学装置。
【請求項３４１】
前記装着型光学装置が、前記ユーザが何を見ているかを決定するために利用される、請求項１３１に記載の装着型光学装置。
【請求項３４２】
前記装着型光学装置が、前記メディアとの関与を決定するために利用される、請求項１３１に記載の装着型光学装置。
【請求項３４３】
前記装着型光学装置が、ゲーム環境において利用される、請求項１３１に記載の装着型光学装置。
【請求項３４４】
前記ゲーム環境が、拡張現実感と共に利用される、請求項３４３に記載の装着型光学装置。
【請求項３４５】
前記ゲーム環境が、オンラインか又はモバイルである、請求項３４５に記載の装着型光学装置。
【請求項３４６】
前記装着型光学装置が、カード分析を参照することによって統計を決定する、請求項３４５に記載の装着型光学装置。
【請求項３４７】
前記装着型光学装置が、人の顔の表情を分析する、請求項３４５に記載の装着型光学装置。
【請求項３４８】
前記装着型光学装置が、ギャンブルで利用され、ギャンブルが、スロット、宝くじ、スポーツくじ、ポーカ、及びルーレットの取り合わせのいずれか又は任意の組み合わせを含む、請求項３４５に記載の装着型光学装置。
【請求項３４９】
光学パラメータが利用される、請求項３４８に記載の装着型光学装置。
【請求項３５０】
前記光学パラメータが、毛様体、瞳、角膜、網膜、水晶体、虹彩測定値のいずれか又は任意の組み合わせを含む、請求項３４９に記載の装着型光学装置。
【請求項３５１】
前記光学パラメータが、他の参加者を見ることに基づいて戦略を決定する際に支援するために利用される、請求項３４９に記載の装着型光学装置。
【請求項３５２】
前記装着型光学装置が、オンライン又はモバイル環境において利用される、請求項１３１に記載の装着型光学装置。
【請求項３５３】
メディアが、経験を拡張するために組み込まれる、請求項３５２に記載の装着型光学装置。
【請求項３５４】
前記装着型光学装置が、照明用に利用される、請求項１３１に記載の装着型光学装置。
【請求項３５５】
前記照明が、自動、手動、目制御、音声制御のいずれか又は任意の組み合わせによって制御される、請求項３５４に記載の装着型光学装置。
【請求項３５６】
前記装着型光学装置が、モバイル決済のために利用される、請求項１３１に記載の装着型光学装置。
【請求項３５７】
前記モバイル決済が、自動、手動、目制御、音声制御のいずれか又は任意の組み合わせによって制御される、請求項３５６に記載の装着型光学装置。
【請求項３５８】
前記装着型光学装置が、身元及びセキュリティ情報のために利用される、請求項１３１に記載の装着型光学装置。
【請求項３５９】
光学パラメータが利用される、請求項３５８に記載の装着型光学装置。
【請求項３６０】
前記光学パラメータが、毛様体、瞳、角膜、網膜、水晶体、虹彩測定値のいずれか又は任意の組み合わせを含む、請求項３５９に記載の装着型光学装置。
【請求項３６１】
前記身元及びセキュリティ情報が、自動、手動、目走査、脳波、顔認識、指紋走査、音声走査のいずれか又は任意の組み合わせによって制御される、請求項３５８に記載の装着型光学装置。
【請求項３６２】
前記装着型光学装置が、テレプロンプタとして利用される、請求項１３１に記載の装着型光学装置。
【請求項３６３】
前記装着型光学装置が、赤外線又は動作検出用に利用される、請求項１３１に記載の装着型光学装置。
【請求項３６４】
前記装着型光学装置が、人口統計情報と共に利用される、請求項１３１に記載の装着型光学装置。
【請求項３６５】
前記人口統計情報が、オンラインメディア、ウェブモバイル、健康診断、ラジオ広告、テレビのいずれか又は任意の組み合わせで利用される、請求項３６４に記載の装着型光学装置。
【請求項３６６】
人口統計情報が、見られているチャネル、又は前記ユーザによってディスプレイ上で見られている位置に基づいて収集される、請求項３６４に記載の装着型光学装置。
【請求項３６７】
前記装着型光学装置が、メディア選択用の拡張現実感遠隔制御装置と共に利用される、請求項１３１に記載の装着型光学装置。
【請求項３６８】
前記装着型光学装置が、前記ユーザ用のペリスコープとして働く遠隔センサと共に利用される、請求項１３１に記載の装着型光学装置。
【請求項３６９】
前記ペリスコープが、拡張されたカメラ及びマイクロホン配置において利用される、請求項３６８に記載の装着型光学装置。
【請求項３７０】
前記装着型光学装置が、立体レンズを含む、請求項１３１に記載の装着型光学装置。
【請求項３７１】
レンズが、透明モードである、請求項１３１に記載の装着型光学装置。
【請求項３７２】
前記装着型光学装置が、ポインティング装置として応じる形態で利用される、請求項１３１に記載の装着型光学装置。
【請求項３７３】
眼位が、前記装着型光学装置をイネーブルするために利用される、請求項１３１に記載の装着型光学装置。
【請求項３７４】
パスワードが、前記装着型光学装置をイネーブルするために、ユーザ名と共に利用される、請求項１３１に記載の装着型光学装置。
【請求項３７５】
前記装着型光学装置が、眼鏡のまわりに振動を生成する、請求項１３１に記載の装着型光学装置。
【請求項３７６】
前記装着型光学装置が、前記ユーザの顔に装着されたフレームのまわりに振動領域を生成する、請求項１３１に記載の装着型光学装置。
【請求項３７７】
前記装着型光学装置が、バイザー、ヘルメット、フェースマスク、保護ゴーグルのいずれかで利用される、請求項１３１に記載の装着型光学装置。
【請求項３７８】
前記装着型光学装置が、グレア管理のために利用される、請求項１３１に記載の装着型光学装置。
【請求項３７９】
前記装着型光学装置が、ヘッドライト、日光、スポットライト、又は爆発の任意の組み合わせを改善するために利用できる輝度を低減する減光を利用する、請求項３７８に記載の装着型光学装置。
【請求項３８０】
少なくとも１つの指紋が、前記装着型光学装置をイネーブルするために利用される、請求項１３１に記載の装着型光学装置。
【請求項３８１】
前記装着型光学装置が、前記ユーザを囲む多重ウィンドウと共に利用される、請求項１３１に記載の装着型光学装置。
【請求項３８２】
前記多重ウィンドウが、眼球運動によって制御される、請求項３８１に記載の装着型光学装置。
【請求項３８３】
フクロウビジョンが、３６０の視界を提供するために利用される、請求項３８２に記載の装着型光学装置。
【請求項３８４】
前記装着型光学装置が、誰が実際に話しているかを識別するために利用される、請求項１３１に記載の装着型光学装置。
【請求項３８５】
前記装着型光学装置が、多者通話機能を含む、請求項１３１に記載の装着型光学装置。
【請求項３８６】
前記装着型光学装置が、メッセージング用に利用される、請求項１３１に記載の装着型光学装置。
【請求項３８７】
前記メッセージングが、視線に基づいた、又は顔及び音声認識に基づいたメッセージングを含む、請求項３８６に記載の装着型光学装置。
【請求項３８８】
前記装着型光学装置が、ユーザが見ているものの特徴を識別するために、前記ソーシャルネットワーク又は外部データベースと共に利用される、請求項１３１に記載の装着型光学装置。
【請求項３８９】
前記装着型光学装置が、映画と共に利用される、請求項１３１に記載の装着型光学装置。
【請求項３９０】
前記映画が、オンラインモバイル映画又は物理的な映画のいずれかを含む、請求項３８９に記載の装着型光学装置。
【請求項３９１】
前記映画が、３Ｄ又はＩＭＡＸ映画のいずれかを含む、請求項３８９に記載の装着型光学装置。
【請求項３９２】
前記装着型光学装置が、歌、音楽又はゲーム、映画及びビデオゲームの購入のために利用される、請求項１３１に記載の装着型光学装置。
【請求項３９３】
前記ゲームが、言葉遊びを含む、請求項３９２に記載の装着型光学装置。
【請求項３９４】
前記ゲームが、チェス、チェッカ、ソリティア、及び三目並べのいずれかを含む、請求項３９２に記載の装着型光学装置。
【請求項３９５】
前記ゲームが、物理学に基づいたゲームを含む、請求項３９２に記載の装着型光学装置。
【請求項３９６】
前記装着型光学装置が、曲面レンズと共に補償アルゴリズムを用いて利用される、請求項１３１に記載の装着型光学装置。
【請求項３９７】
前記曲面レンズが、前記ユーザ用の空間的又は視覚的にマップされた透視図を生成するために用いられる、請求項３９６に記載の装着型光学装置。
【請求項３９８】
前記曲面レンズが、多重レンズを利用するパノラマビューイング領域を生成するために用いられる、請求項３９６に記載の装着型光学装置。
【請求項３９９】
前記曲面レンズが、３６０度のビューイング領域を生成するために用いられる、請求項３９６に記載の装着型光学装置。
【請求項４００】
前記装着型光学装置が、眼検査、眼診断、及び視力検査と共に利用される、請求項１３１に記載の装着型光学装置。
【請求項４０１】
光学パラメータが利用される、請求項１３１に記載の装着型光学装置。
【請求項４０２】
前記光学パラメータが、毛様体、瞳、角膜、網膜、水晶体、虹彩測定値のいずれか又は任意の組み合わせを含む、請求項４０１に記載の装着型光学装置。
【請求項４０３】
前記眼検査が、眼筋又は顔の側面における筋肉若しくはその等価物に対する、制御された角膜又は眼水晶体測定を含む、請求項４００に記載の装着型光学装置。
【請求項４０４】
前記装着型光学装置が、虹彩又は瞳探知のために通る光を制御するように利用される、請求項４００１に記載の装着型光学装置。
【請求項４０５】
前記装着型光学装置が、黄斑探知のために利用される、請求項４００に記載の装着型光学装置。
【請求項４０６】
前記装着型光学装置が、可聴性を改善するために音検出を利用する、請求項１３１に記載の装着型光学装置。
【請求項４０７】
前記装着型光学装置が、音響処理用に耳挿入物と共に利用される、請求項１３１に記載の装着型光学装置。
【請求項４０８】
前記装着型光学装置が、前記遮光制御を備えたコンタクトレンズを含む、請求項１３１に記載の装着型光学装置。
【請求項４０９】
前記装着型光学装置が、睡眠不足の症状を決定するために利用される、請求項１３１に記載の装着型光学装置。
【請求項４１０】
前記装着型光学装置が、前記ユーザのアルコールレベルを決定するために利用される、請求項１３１に記載の装着型光学装置。
【請求項４１１】
前記装着型光学装置が、脳波計と共に利用される、請求項１３１に記載の装着型光学装置。
【請求項４１２】
前記装着型光学装置が、テスラメータと共に利用される、請求項１３１に記載の装着型光学装置。
【請求項４１３】
前記装着型光学装置が、オペレーティングシステムと共に利用される、請求項１３１に記載の装着型光学装置。
【請求項４１４】
前記動的視標追跡が、前記オペレーティングシステムを制御するために利用される、請求項４１３に記載の装着型光学システム。
【請求項４１５】
アプリケーションが、前記装着型光学装置のセンサ及び通信を制御するために利用される、請求項４１３に記載の装着型光学システム。
【請求項４１６】
レンズが、前記オペレーティングシステムによって制御される、請求項４１４に記載の装着型光学システム。
【請求項４１７】
前記レンズが、複数の層を含む、請求項４１６に記載の装着型光学装置。
【請求項４１８】
レンズドライバ及び目カーソルが、前記オペレーティングシステムによって制御される、請求項４１３に記載の装着型光学システム。
【請求項４１９】
前記装着型光学装置が、教育環境において利用される、請求項１３１に記載の装着型光学装置。
【請求項４２０】
前記動的視標追跡が、仮想テキストと共に利用される、請求項４１９に記載の装着型光学装置。
【請求項４２１】
前記動的視標追跡が、仮想本のページをめくる、請求項１３１に記載の装着型光学装置。
【請求項４２２】
前記動的視標追跡が、前記ユーザが所与の教科書のどこにいるかを教師が決定できるようにする、請求項４２０に記載の装着型光学装置。
【請求項４２３】
教師が、１人又は複数の学生のドキュメントにおいてズームすることができる、請求項４２０に記載の装着型光学装置。
【請求項４２４】
メッセージが、教師から検索され得るか、又は学生によって教師に送信され得る、請求項４２０に記載の装着型光学装置。
【請求項４２５】
前記教師が、前記学生をズームし、その特徴を知ることができる、請求項４２４に記載の装着型光学装置。
【請求項４２６】
前記教師が、１人又は複数の学生からのメモを調べることができる、請求項４２４に記載の装着型光学装置。
【請求項４２７】
前記教師が、１人又は複数の学生が何を見ているかを見ることができる、請求項４２４に記載の装着型光学装置。
【請求項４２８】
前記教師が、光学パラメータを用いて、学生の関与を測定することができる、請求項４２４に記載の装着型光学装置。
【請求項４２９】
前記光学パラメータが、毛様体、瞳、角膜、網膜、水晶体、虹彩測定値のいずれか又は任意の組み合わせを含む、請求項４２０に記載の方法。
【請求項４３０】
前記教師が、１人又は複数の学生にリアルタイムでメッセージを提示し、且つフィードバックを得ることができる、請求項４２４に記載の装着型光学装置。
【請求項４３１】
前記装着型光学装置が、太陽光発電である、請求項１３１に記載の装着型光学装置。
【請求項４３２】
遮光制御が、少なくとも１つのアイセンサ及びカメラによって提供される、請求項１３１に記載の装着型光学装置。
【請求項４３３】
前記アイセンサ及び前記カメラが、前記レンズを通して目がどのポイントを見ているかを決定する、請求項４３２に記載の装着型光学装置。
【請求項４３４】
前記アイセンサが、前記レンズ上の明るい領域を検出する、請求項４３２に記載の装着型光学装置。
【請求項４３５】
前記アイセンサが、各目用の動的追跡に備える、請求項４３２に記載の装着型光学装置。
【請求項４３６】
バーコードセンサを含む、請求項１３１に記載の装着型光学装置。
【請求項４３７】
前記バーコードが、前記走査に基づいた製品情報を含む、請求項４３６に記載の装着型光学装置。
【請求項４３８】
アプリケーションが、前記動的視標追跡と共にオペレーティングシステムを利用して実行される、請求項１３１に記載の装着型光学装置。
【請求項４３９】
ブラウザ情報が、動的視標追跡と共にブラウザを利用して実行される、請求項１３１に記載の装着型光学装置。
【請求項４４０】
知覚測定が、提供される情報を識別するために利用される、請求項１３１に記載の装着型光学装置。
【請求項４４１】
筋肉測定が、知覚向上のために利用される、請求項４４０に記載の装着型光学装置。
【請求項４４２】
中央アーチ、鼻、眉筋肉群が、合焦及びズーム機能のために利用される、請求項４４０に記載の装着型光学装置。
【請求項４４３】
前記知覚パラメータが、前記ユーザの知覚及び感情を伝達し、送信し、且つ通信するために利用される、請求項１３１に記載の装着型光学装置。
【請求項４４４】
知覚パラメータが、ビデオゲームにおいて利用される、請求項１３１に記載の装着型光学装置。
【請求項４４５】
前記知覚パラメータが、ソーシャルネットワーク環境において利用される、請求項１３１に記載の装着型光学装置。
【請求項４４６】
前記知覚パラメータが、顔画像を提供するために利用される、請求項１３１に記載の装着型光学装置。
【請求項４４７】
前記眉、額センサが、驚き又は疑いを伝達するために利用される、請求項１３１に記載の装着型光学装置。
【請求項４４８】
前記ユーザの頬の位置が、幸福を示すために利用される、請求項１３１に記載の装着型光学装置。
【請求項４４９】
筋肉の動きが、スピーチの代用として利用される、請求項１３１に記載の装着型光学装置。
【請求項４５０】
前記鼻梁が、知覚向上のために利用される、請求項４４０に記載の装着型光学装置。
【請求項４５１】
前記鼻が、スピーチ伝達手段になり得る、請求項４４０に記載の装着型光学装置。
【請求項４５２】
前記顔上のセンサが、水分含有量を感知する、請求項４４７に記載の装着型光学装置。
【請求項４５３】
前記知覚調査が、前記調査の重点を決定するために、ジェスチャ、熟視、又は眼球運動を利用する、請求項４４７に記載の装着型光学装置。
【請求項４５４】
前記ユーザの目が自然に見える、請求項１３１に記載の装着型光学装置。
【請求項４５５】
自然な目の外観が、前記目の明瞭な視界の表現を示す能力をリアルタイムで提供する、請求項４５４に記載の装着型光学装置。
【請求項４５６】
前記装着型光学装置内のカメラが、前記自然な目の外観を提供するために利用される、請求項４５４に記載の装着型光学装置。
【請求項４５７】
前記レンズの焦点距離が、前記装置の性能を改善するように決定される、請求項１３１に記載の装着型光学装置。
【請求項４５８】
前記アイウエアに表示される前記画像の前記焦点距離が、前記ユーザの前記レンズの前記可変焦点距離に一致される、請求項４５７に記載の装着型光学装置。
【請求項４５９】
表示された拡張現実感焦点距離が、前記ユーザの前記可変焦点距離と一致するように調整される、請求項４５７に記載の装着型光学装置。
【請求項４６０】
毛様体測定が、前記動的視標追跡と共に利用される、請求項１３１に記載の装着型光学装置。
【請求項４６１】
前記毛様体測定が、能動的な測定である、請求項４６０に記載の装着型光学装置。
【請求項４６２】
前記能動的な測定が、赤外線放射を目に送り、リターン情報を捕捉し、且つ前記リターン情報を分析するために、赤外線エミッタを利用することを含む、請求項４６１に記載の装着型光学装置。
【請求項４６３】
前記毛様体測定が、受動的な測定である、請求項４６０に記載の装着型光学装置。
【請求項４６４】
前記受動的な測定が、網膜又は角膜撮像を利用すること、及び分析によって前記焦点距離を決定することを含む、請求項４６３に記載の装着型光学装置。
【請求項４６５】
前記能動的な測定が、自動補償機能を利用する、請求項４６１に記載の装着型光学装置。
【請求項４６６】
前記受動的な測定が、自動補償機能を利用する、請求項４６３に記載の装着型光学装置。
【請求項４６７】
前記能動的な測定が、較正プロセスを利用する、請求項４６１に記載の装着型光学装置。
【請求項４６８】
前記受動的な測定が、自動補償機能を利用する、請求項４６３に記載の装着型光学装置。
【請求項４６９】
前記毛様体測定が、前記ユーザの視界及び焦点要件を調整する、請求項４６０に記載の装着型光学装置。
【請求項４７０】
前記毛様体測定が、較正及びリアルタイム動作の両方のために仮想レンズを利用する、請求項４６０に記載の装着型光学装置。
【請求項４７１】
前記動的視標追跡が、ナビゲーション用に利用され、指が、選択を行うために利用される、請求項１３１に記載の装着型光学装置。
【請求項４７２】
前記指を用いる１０クリックナビゲーション機構を含む、請求項４７３に記載の装着型光学装置。
【請求項４７３】
前記ナビゲーションが、前記選択と同時である、請求項４７１に記載の装着型光学装置。
【請求項４７４】
目カーソル制御及びピクチャ選択を更に含む、請求項１３１に記載の装着型光学装置。
【請求項４７５】
情報の認識が改善される、請求項１３１に記載の装着型光学装置。
【請求項４７６】
逆遮光が、ディスプレイを見る場合に提供される、請求項１３１に記載の装着型光学装置。
【請求項４７７】
逆遮光が、偏光フィルタによって提供される、請求項４７６に記載の装着型光学装置。
【請求項４７８】
遮光及び逆遮光用のアルゴリズムが、前記装着型光学装置内で提供される、請求項１３１に記載の装着型光学装置。
【請求項４７９】
アルゴリズムが、非視覚スペクトルを可視情報に変形するために提供される、請求項１３１に記載の装着型光学装置。
【請求項４８０】
前記ディスプレイが、スマートフォン、パーソナルコンピュータ、ラップトップ、デスクトップ、又は携帯機器のいずれかで利用される、請求項４７６に記載の装着型光学装置。
【請求項４８１】
前記ディスプレイの背景が、人が対象物を見ることができるようにするために遮光される、請求項４８０に記載の装着型光学装置。
【請求項４８２】
対象物は遮光されないが、しかし前記対象物外の領域が遮光される、請求項４７６に記載の装着型光学装置。
【請求項４８３】
対象物認識が利用される、請求項４７６に記載の装着型光学装置。
【請求項４８４】
周囲光が、或る所定値を超えた場合に、あなたが遮光する、請求項４７６に記載の装着型光学装置。
【請求項４８５】
各レンズが、それ自体の逆遮光を有する、請求項４７６に記載の装着型光学装置。
【請求項４８６】
半透明遮光が、読み物用に提供される、請求項４７６に記載の装着型光学装置。
【請求項４８７】
電力管理機構を含む、請求項１３１に記載の装着型光学装置。
【請求項４８８】
充電機構を含む、請求項１３１に記載の装着型光学装置。
【請求項４８９】
前記充電機構が、直流電気接続部を含む、請求項４８８に記載の装着型光学装置。
【請求項４９０】
前記充電機構が、太陽充電システムを含む、請求項４８８に記載の装着型光学装置。
【請求項４９１】
前記充電機構が、磁気誘導システムを含む、請求項４８８に記載の装着型光学装置。
【請求項４９２】
前記充電機構が、スマートフォンへの接続を含む、請求項４８８に記載の装着型光学装置。
【請求項４９３】
前記スマートフォンへの前記接続が、ＵＳＢポートへの接続、直流電気接続、又は磁気誘導を介した接続のいずれか又は任意の組み合わせを含む、請求項４９２に記載の装着型光学装置。
【請求項４９４】
前記接続が、太陽誘導パッドへの接続である、請求項４９２に記載の装着型光学装置。
【請求項４９５】
前記充電機構が、ラップトップへの接続を含む、請求項４８８に記載の装着型光学装置。
【請求項４９６】
前記ラップトップへの前記接続が、ＵＳＢポートへの接続、直流電気接続、又は磁気誘導を介した接続のいずれか又は任意の組み合わせを含む、請求項４９５に記載の装着型光学装置。
【請求項４９７】
前記接続が、太陽誘導パッドへの接続である、請求項４９６に記載の装着型光学装置。
【請求項４９８】
前記装着型光学装置を充電するために、衣類が、前記充電機構と共に利用される、請求項４８８に記載の装着型光学装置。
【請求項４９９】
高速動作符号化が、動的視標追跡と共に利用される、請求項１３１に記載の装着型光学装置。
【請求項５００】
ＤＶＲ機能が、動的視標追跡と共に利用される、請求項１３１に記載の装着型光学装置。
【請求項５０１】
前記ＤＶＲ機能が、プレー、停止、記録、及びリプレーのいずれか又は任意の組み合わせを含む、請求項５００に記載の装着型光学装置。
【請求項５０２】
前記装着型光学装置が、ダンス及びフィットネス用に利用される、請求項１３１に記載の装着型光学装置。
【請求項５０３】
装着型光学装置で動的視標追跡を利用することであって、オペレーティングシステムに基づいた光学パラメータが、前記動的視標追跡に基づいて利用されることを含む方法。
【請求項５０４】
前記動的視標追跡が、前記オペレーティングシステムを制御するために利用される、請求項５０３に記載の方法。
【請求項５０５】
アプリケーションが、前記装着型光学装置のセンサ及び通信を制御するために利用される、請求項５０３に記載の方法。
【請求項５０６】
レンズが、前記オペレーティングシステムによって制御される、請求項５０３に記載の方法。
【請求項５０７】
前記レンズが、複数の層を含む、請求項５０６に記載の方法。
【請求項５０８】
レンズ層ドライバ及び目カーソルが、前記オペレーティングシステムによって制御される、請求項５０３に記載の方法。
【請求項５０９】
レンズと、
前記レンズと通信する動的視標追跡機構であって、オペレーティングシステムに基づいた光学パラメータが、前記動的視標追跡に基づいて利用される動的視標追跡機構と、
を含む装着型光学装置。
【請求項５１０】
前記動的視標追跡が、前記オペレーティングシステムを制御するために利用される、請求項５０９に記載の装着型光学装置。
【請求項５１１】
アプリケーションが、前記装着型光学装置のセンサ及び通信を制御するために利用される、請求項５０９に記載の装着型光学装置。
【請求項５１２】
レンズが、前記オペレーティングシステムによって制御される、請求項５０９に記載の装着型光学装置。
【請求項５１３】
前記レンズが、複数の層を含む、請求項５０９に記載の装着型光学装置。
【請求項５１４】
レンズ層ドライバ及び目カーソルが、前記オペレーティングシステムによって制御される、請求項５０９に記載の装着型光学装置。
【請求項５１５】
装着型光学装置で動的視標追跡を利用することであって、遮光又は逆遮光が、前記動的視標追跡に基づいて利用されることを含む方法。
【請求項５１６】
逆遮光が、ディスプレイを見ている場合に提供される、請求項５１６に記載の方法。
【請求項５１７】
逆遮光が、偏光フィルタによって提供される、請求項５０２に記載の方法。
【請求項５１８】
遮光及び逆遮光用のアルゴリズムが、前記装着型光学装置内で提供される、請求項５１７に記載の方法。
【請求項５１９】
アルゴリズムが、非視覚スペクトルを可視情報に変形するために提供される、請求項５１５に記載の方法。
【請求項５２０】
前記ディスプレイが、スマートフォン、パーソナルコンピュータ、ラップトップ、デスクトップ、又は携帯機器のいずれかで利用される、請求項５１６に記載の方法。
【請求項５２１】
前記ディスプレイの背景が、人が対象物を見ることができるようにするために遮光される、請求項５１６に記載の方法。
【請求項５２２】
対象物は遮光されないが、しかし前記対象物外の領域が遮光される、請求項５１５に記載の方法。
【請求項５２３】
対象物認識が利用される、請求項５１５に記載の方法。
【請求項５２４】
周囲光が、或る所定値を超えた場合に、遮光が提供される、請求項５１５に記載の方法。
【請求項５２５】
各レンズが、それ自体の逆遮光を有する、請求項５１５に記載の方法。
【請求項５２６】
半透明遮光が、読み物用に提供される、請求項５１５に記載の方法。
【請求項５２７】
レンズと、
前記レンズと通信する動的視標追跡機構であって、遮光又は逆遮光が、前記動的視標追跡に基づいて利用される動的視標追跡機構と、
を含む装着型光学装置。
【請求項５２８】
逆遮光が、ディスプレイを見る場合に提供される、請求項５２７に記載の装着型光学装置。
【請求項５２９】
逆遮光が、偏光フィルタによって提供される、請求項５２７に記載の装着型光学装置。
【請求項５３０】
遮光及び逆遮光用のアルゴリズムが、前記装着型光学装置内で提供される、請求項５２７に記載の装着型光学装置。
【請求項５３１】
アルゴリズムが、非視覚スペクトルを可視情報に変形するために提供される、請求項５２７に記載の装着型光学装置。
【請求項５３２】
前記ディスプレイが、スマートフォン、パーソナルコンピュータ、ラップトップ、デスクトップ、又は携帯機器のいずれかで利用される、請求項５２８に記載の装着型光学装置。
【請求項５３３】
前記ディスプレイの背景が、人が対象物を見ることができるようにするために遮光される、請求項５２８に記載の装着型光学装置。
【請求項５３４】
対象物は遮光されないが、しかし前記対象物外の領域が遮光される、請求項５２７に記載の装着型光学装置。
【請求項５３５】
対象物認識が利用される、請求項５２７に記載の装着型光学装置。
【請求項５３６】
周囲光が、或る所定値を超えた場合に、あなたが遮光する、請求項５２７に記載の装着型光学装置。
【請求項５３７】
各レンズが、それ自体の逆遮光を有する、請求項５２７に記載の装着型光学装置。
【請求項５３８】
半透明遮光が、読み物用に提供される、請求項５３０に記載の装着型光学装置。
【請求項５３９】
装着型光学装置で動的視標追跡を利用することであって、知覚最適化が、前記動的視標追跡に基づいて利用されることを含む方法。
【請求項５４０】
知覚パラメータに基づいて客観的及び主観的品質基準を利用して改善を提供することを含む、請求項５３９に記載の方法。
【請求項５４１】
前記知覚パラメータが、光学表現、音声、脳波、環境、オーディオ、ビデオ、ナビゲーション、拡張現実感、アルゴリズム、空間、認識、解釈のいずれか又は任意の組み合わせを含む、請求項５４０に記載の方法。
【請求項５４２】
前記装着型光学装置が、模倣のいずれか又は任意の組み合わせを制御し、知覚パラメータを用いてユーザの知覚生理学を増幅又は拡張する、請求項５３９に記載の方法。
【請求項５４３】
前記光学表現が画像である、請求項５４１に記載の方法。
【請求項５４４】
レンズと、
前記レンズと通信する動的視標追跡機構であって、知覚最適化が、前記動的視標追跡に基づいて利用される動的視標追跡機構と、
を含む装着型光学装置。
【請求項５４５】
知覚パラメータに基づいて客観的及び主観的品質基準を利用して改善を提供することを含む、請求項５４４に記載の装着型光学装置。
【請求項５４６】
前記知覚パラメータが、光学表現、音声、脳波、環境、オーディオ、ビデオ、ナビゲーション、拡張現実感、アルゴリズム、空間、認識、解釈のいずれか又は任意の組み合わせを含む、請求項５４４に記載の装着型光学装置。
【請求項５４７】
前記装着型光学装置が、模倣のいずれか又は任意の組み合わせを制御し、知覚パラメータを用いてユーザの知覚生理学を増幅又は拡張する、請求項５４４に記載の装着型光学装置。
【請求項５４８】
前記光学表現が画像である、請求項５４６に記載の装着型光学装置。
【請求項５４９】
装着型光学装置で動的視標追跡を利用することであって、拡張現実感オーバーレイが、前記動的視標追跡に基づいて利用されることを含む方法。
【請求項５５０】
オーバーレイ翻訳が、リアルタイムの拡張現実感オーバーレイである、請求項５４９に記載の方法。
【請求項５５１】
オーバーレイ翻訳が、拡張現実感オーバーレイを提供するために、前記対象物に対する前記ユーザの視線又は前記レンズの焦点距離を用いて、前記装着型光学装置において提供される、請求項５４９に記載の方法。
【請求項５５２】
レンズと、
前記レンズと通信する動的視標追跡機構であって、拡張現実感オーバーレイが、前記動的視標追跡に基づいて利用される動的視標追跡機構と、
を含む装着型光学装置。
【請求項５５３】
オーバーレイ翻訳が、リアルタイムの拡張現実感オーバーレイである、請求項５５２に記載の装着型光学装置。
【請求項５５４】
オーバーレイ翻訳が、拡張現実感オーバーレイを提供するために、前記対象物に対する前記ユーザの視線又は前記レンズの焦点距離を用いて、前記装着型光学装置において提供される、請求項５５２に記載の装着型光学装置。
【請求項５５５】
装着型光学装置で動的視標追跡を利用することであって、拡張現実感ナビゲーションが、前記動的視標追跡に基づいて利用されることを含む方法。
【請求項５５６】
レンズと、
前記レンズと通信する動的視標追跡機構であって、拡張現実感ナビゲーションが、前記動的視標追跡に基づいて利用される動的視標追跡機構と、
を含む装着型光学装置。
【発明の詳細な説明】
【技術分野】
【０００１】
関連出願の相互参照
本出願は、「ＤＩＧＩＴＡＬ  ＥＹＥＷＥＡＲ」なる名称で、２０１３年１月１１日に出願された米国特許出願第１３／７３９，９２９号の一部継続出願であり、且つその優先権の利益を主張し、米国特許出願第１３／７３９，９２９号は、「ＤＩＧＩＴＡＬ  ＥＹＥＷＥＡＲ」なる名称で、２０１１年４月１日に出願された米国特許出願第１３／０７８，５８９号（現在は、２０１３年１月１５日に交付された米国特許第８，３５３，５９４号）の継続出願であり、米国特許出願第１３／０７８，５８９号は、「ＤＩＧＩＴＡＬ  ＥＹＥＷＥＡＲ」なる名称で、２００９年１１月１８日に出願された米国特許出願第１２／６２１，４２３号（現在は、２０１１年４月５日に交付された米国特許第７，９１８，５５６号）の継続出願であり、米国特許出願第１２／６２１，４２３号は、「ＤＩＧＩＴＡＬ  ＥＹＥＷＥＡＲ」なる名称で、２００８年２月１１日に出願された米国特許出願第１２／０２９，０６８号（現在は、２０１０年７月２０日に交付された米国特許第７，７５８，１８５号）の継続出願であり、米国特許出願第１２／０２９，０６８号は、「ＤＩＧＩＴＡＬ  ＥＹＥＷＥＡＲ」なる名称で、２００５年１０月７日に出願された米国特許出願第１１／２４５，７５６号の分割出願であり、それらの全ては、参照によって本明細書に援用される。
【０００２】
本出願は、「ＥＮＨＡＮＣＥＤ  ＯＰＴＩＣＡＬ  ＡＮＤ  ＰＥＲＣＥＰＴＵＡＬ  ＤＩＧＩＴＡＬ  ＥＹＥＷＥＡＲ」なる名称の、２０１３年３月１５日出願の米国特許出願第＿＿＿＿号（Ｄｏｃｋｅｔ  Ｎｏ．５２６６Ｐ）に関し、その特許出願もまた、参照によって本明細書に援用される。
【０００３】
本発明は、一般に装着型光学装置に関し、特に追加機能を含む装着型光学装置に関する。
【背景技術】
【０００４】
装着型光学装置は、様々な目的のために利用される。装着型光学装置は、老眼鏡用に人の視力を改善するために、且つ人の視力の保護のために使用される。しばしば、保護ゴーグルが、危険なエリア内で目を保護するために用いられる。眼鏡に追加機能を加えることが望ましい。この機能は、電子的、機械的、美的等の様々な形態を含むことができる。従って、装着型光学装置に追加機能を提供することが常に望ましい。
【発明の概要】
【発明が解決しようとする課題】
【０００５】
望まれるものは、やはり眼鏡の主な使用のために眼鏡を維持しながら、眼鏡の通常の使用を超えて眼鏡の機能を改善するシステム及び方法である。本発明は、かかる必要性に取り組む。
【課題を解決するための手段】
【０００６】
装着型光学装置及び使用方法が開示される。第１の態様において、方法は、装着型光学装置で動的視標追跡を利用することを含み、ユーザに個人化されたパラメータが、動的視標追跡に基づいて提供され得る。
【０００７】
第２の態様において、装着型光学装置は、レンズ及びレンズと通信する動的視標追跡機構を含む。ユーザに個人化されたパラメータが、動的視標追跡に基づいて提供され得る。
【０００８】
第３の態様において、方法は、装着型光学装置で動的視標追跡を利用することを含む。知覚最適化が、動的視標追跡に基づいて利用される。
【０００９】
第４の態様において、装着型光学装置は、レンズ及びレンズと通信する動的視標追跡機構を含む。知覚最適化が、動的視標追跡に基づいて利用される。
【００１０】
第５の態様において、方法は、装着型光学装置で動的視標追跡を利用することを含む。拡張現実感オーバーレイが、動的視標追跡に基づいて利用される。
【００１１】
第６の態様において、装着型光学装置は、レンズ及びレンズと通信する動的視標追跡機構を含む。拡張現実感オーバーレイが、動的視標追跡に基づいて利用される。
【００１２】
第７の態様において、方法は、装着型光学装置で動的視標追跡を利用することを含む。拡張現実感ナビゲーションが、動的視標追跡に基づいて利用される。
【００１３】
第８の態様において、装着型光学装置は、レンズ及びレンズと通信する動的視標追跡機構を含む。拡張現実感ナビゲーションが、動的視標追跡に基づいて利用される。
【図面の簡単な説明】
【００１４】
【図１】メディアフォーカルを示す図である。
【図２】メディアフォーカル装着型光学装置上に情報バーを含む。
【図３】ＭＰ３プレーヤなどの音楽環境において利用される装着型光学装置のブロック図である。
【図４】携帯電話として利用される装着型光学装置を示すブロック図である。
【図５Ａ】図４の携帯電話回路を示すブロック図である。
【図５Ｂ】光学及び知覚パラメータを利用する知覚最適化を示す。
【図５Ｃ】改善されたデジタルアイウエアアーキテクチャを示す。
【図６】実施形態の視標追跡機構で利用可能な目の部分を示す。
【図７】装着型光学装置で利用されるソーシャルネットワーキングアプリケーションを示す。
【図８】実施形態に従って、装着型光学装置で利用されるメッセージングアプリケーションを示す。
【図９】実施形態に従って、運動競技観客によって利用される装着型光学装置を示す。
【図１０】実施形態に従って、運動競技プレーヤによって利用される装着型光学装置を示す。
【図１１】装着型光学装置で利用される拡張現実感情報、ナビゲーション、及び広告アプリケーションを示す。
【図１２】遠隔装置と共に用いられる装着型光学装置で利用される拡張現実感情報患者データアプリケーションを示す。
【図１３】装着型光学装置で利用される遮光制御アプリケーションを示す。
【図１４】装着型光学装置で利用される拡張現実感アプリケーションを示す。
【図１５】装着型光学装置で利用される物理的なゲームアプリケーションを示す。
【図１６】装着型光学装置で利用されるオンライン／モバイルゲームアプリケーションの第１の実施形態を示す。
【図１７】装着型光学装置で利用されるオンライン／モバイルゲームアプリケーションの第２の実施形態を示す。
【図１８】装着型光学装置を利用する遮光制御を示す。
【図１９】装着型光学装置に関する光学／知覚オペレーティングシステムを示す。
【図２０】装着型光学装置のデジタルアーキテクチャの実施形態を説明する。
【図２１】アプリケーション開発者が使用するためのシステムシミュレータ及び装着型光学装置の新しいレンズ又は拡張の実施形態を示す。
【図２２Ａ−２２Ｆ】装着型光学装置を用いる逆遮光の実施形態を示す。
【図２３】装着型光学装置を利用する視標追跡照明及び改善された効率の実施形態を示す。
【図２４】装着型光学装置を利用するリアルタイム拡張現実感オーバーレイの実施形態を示す。
【発明を実施するための形態】
【００１５】
本発明は、一般に装着型光学装置に関し、特に追加機能を含む装着型光学装置に関する。以下の説明は、当業者が本発明を実施及び利用できるようにするために提示され、且つ特許出願及びその要件の文脈で提供される。本明細書で説明される好ましい実施形態、一般的な原理及び特徴に対する様々な修正が、当業者には容易に明らかになろう。従って、本発明は、示される実施形態に限定されるようには意図されておらず、本明細書で説明される原理及び特徴と一致する最も広い範囲を与えられるべきである。
【００１６】
本発明によるシステム及び方法は、装着型光学装置の使用を改善する様々な方法に関する。
【００１７】
ここで、本発明の特徴をより詳細に説明するために、添付の図面に関連して以下の説明に触れる。
【００１８】
１．メディアフォーカル１００
図１は、メディアフォーカル１００を示す図である。メディアフォーカル１００は、情報バー１０２、受信機１０４、デジタル回路１０６、フレーム１０８、及びレンズ１１０を含む。メディアフォーカル１００は、その主な目的として装着型光学装置を改善できるようにする。例えば、デジタルカメラが、装着型光学装置の画像の幾つかを見ることができるように、装着型光学装置内に配置可能である。例えば、メディアフォーカル１００用の回路１０６は、装着型光学装置のフレーム１０８内に配置することが可能である。レンズ１１０は、ＬＣＤなどを用いて、全反射面又は部分反射面を有することが可能である。実際に、装着型光学装置は、シースルーの眼鏡のように見え得るが、しかしそれは、装着型光学装置内の回路１０６の使用を介して、実際にはメディアフォーカルである。更に、装着型光学装置は、シースルー効果を達成するために、第２のレンズにユーザを投射するためのカメラを組み込むことが可能である。
【００１９】
好ましい実施形態において、情報バー１０２が、ユーザに見える装着型光学装置の部分の両端にわたって設けられる。この情報バー１０２は、様々な種類の情報を伝達するために用いられる。
【００２０】
図２は、メディアフォーカル装着型光学装置上の情報バー１０２’を含む。図２に示されているように、情報バー１０２’は、装着型光学装置の上部にわたってスクロールするストックティッカとすることができる。ストックティッカを表示する情報バー１０２’が示されているが、曲名、歌詞などの他の種類の情報が、情報バーに表示され得る。この情報バーは、Ｅフォーカルと呼ばれる。この情報は、ＦＭ局、セルラ無線装置、又はＭＰ３プレーヤを介して、デジタル受信機から提供されても良い。Ｅフォーカルの追加機能は、音楽プレーヤの改善と同様に携帯電話の改善に関連して、より詳細に説明される。
【００２１】
メディアフォーカル１００の重要な特徴の１つは、ユーザの主要な機能を向上させる、即ち、対象物をより正確にはっきりと見ることができるメディアフォーカルの使用である。かかる環境において、例えば、双眼鏡としての装着型光学装置の使用を可能にするズーム機能回路を有することが可能である。これは、ユーザのある活動に基づいて、ユーザが、対象物をより綿密に見ることができるようにするであろう。例えば、カメラ、ＣＣＤ受信機等を介して視覚データを受信可能な眼鏡の双眼鏡回路を活性化する、装着型光学装置上のアイセンサ又は圧力センサがあっても良い。
【００２２】
好ましい実施形態において、回路１０６は、この機能を提供するために、眼鏡フレームのどこかに位置しよう。回路がより小さくなり、且つ装置がより小さくなるにつれて、かかる機能用の使用のために知られている回路を直接装置内に埋め込むことが、ますます簡単になろう。装置における回路１０６は、例えば、目が動作を指図できるようにするための、圧力センサ、容量センサ、又は或る他の種類のセンサであることが可能なアイセンサとすることが可能である。例えば、眼球運動センサが、双眼鏡を作動させ制御するために使用可能である。同様に、人が同じ種類の技術で直接写真を撮れるようにするであろうデジタルカメラを眼鏡上に配置することが可能である。
【００２３】
同じような意味で、眼鏡は、デジタル画像を利用する通常の補正レンズガラスとして用いることが可能であり、その結果、例えば、ユーザは、対象物をはっきりと見るために、自分の通常の度付きメガネと共に用いる或る処方を有する。ユーザの目が変化すると共に、新しい処方と適合する画像情報のデジタル変換が提供されるように、検眼士が、新しい処方を装着型光学装置にダウンロードすることが可能になろう。
【００２４】
また、好ましい実施形態において、デジタルメディアを感知及び制御するための方法が、様々なやり方で実行可能である。例えば、目自体の動作が、メディアフォーカルの動作を制御するであろう。従って、例えば、画像をズームすることを考えた場合に、目は、２度まばたきをすることになろう。顔面動作及び眼球運動（例えば目を細めること）と同様に、瞳及び虹彩の変化を検出することもまた可能であろう。
【００２５】
更なる実施形態において、本発明による眼鏡が、クライアント／サーバモデル又はＢｌｕｅｔｏｏｔｈ（登録商標）（Ｗｉ−Ｆｉ）モデル内で機能することが可能であろう。クライアント／サーバモデル及びＢｌｕｅｔｏｏｔｈ（登録商標）  Ｗｉ−Ｆｉの利用は、例えば、インターネット又は眼鏡上の類似のソースから、生のニュース又は（有価証券報告書などの）特別な報告の表示を可能にするであろう。これはまた、装着型光学装置においてより少ない回路が必要とされるように、回路の一部を遠隔に配置できるようにするであろう。
【００２６】
例えば、装着型光学装置はまた、ロゴを含むことが可能である。例えば、警官は、「Ｐｏｌｉｃｅ」、「Ｓｈｅｒｉｆｆ」、「ＭＰ」等で自分の眼鏡を飾ることが可能である。若者は、自分の好きなパフォーマなどを表す言葉及び画像で自分の眼鏡を飾ることが可能である。スポーツチームは、チームのモノグラム等を備えた眼鏡を割引で提供することが可能である。眼鏡はまた、会社によって購入され、会社のロゴで飾られ、且つ退職の贈り物等として配られることが可能である。
【００２７】
２．音楽環境
図３は、ＭＰ３プレーヤなどの音楽環境において利用される装着型光学装置３００のブロック図である。図３は、装着型光学装置３００、情報バー３０２、ＭＰ３プレーヤ回路３０４、記憶装置３０６、フレーム３０８、及び１つ又は複数のレンズ３１０を含む。上記で説明されたのとは別の環境は、音楽環境である。望ましいであろうことは、ＩＰｏｄなどにおけるＭＰ３プレーヤが、有線又は無線環境で装着型光学装置に組み込まれる音楽眼鏡を提供することであろう。この種のシステムの使用を通じ、眼鏡を介して要求されるあらゆる音楽を人がダウンロードできるようにするであろうホットスポット等内のＭＰ３プレーヤ型環境を介して、複数のユーザが、ネットワークに接続され得る。システムは、音声認識システムを通し、スクロール等を介して選択できるダウンロード可能な音楽に対処することが可能である。
【００２８】
例えば、クライアント／サーバネットワーク又はＢｌｕｅｔｏｏｔｈ（登録商標）  Ｗｉ−Ｆｉ設備に接続することによって、眼鏡は、マルチメディアネットワークにリンクし、選択された音楽用のダウンロード及び課金を認可することが可能である。この手段によって、選曲用に複数のライブラリへのアクセスが提供され得る。
【００２９】
ストリーミングオーディオメディアへのアクセスを提供することがまた可能であろう。また、アクセスは、クライアント／サーバモデルを介してマルチメディアライブラリ等へ提供することができる。
【００３０】
情報は、ｉＰｏｄ又はＭＰ３プレーヤで動作できるようにされたデジタルクライアント／サーバモデルを介して受信することが可能である。同様に、Ｂｌｕｅｔｏｏｔｈ（登録商標）無線技術が、音楽及び生のオーディオソースへのアクセスを提供するために利用可能である。
【００３１】
装着型光学装置はまた、一人のユーザ又は複数のユーザが、単一又はグループのカラオケ歌唱に同時に参加できるようにする無線技術と共に、利用することが可能である。装着型光学装置は、特に、歌の歌詞、歌のメロディ、音符、題名、又は他の関連する参考資料を表示するために使用することが可能である。
【００３２】
装着型光学装置ハードウェアに接続されたＡＭ／ＦＭラジオチューナを介して、ＡＭ又はＦＭラジオ信号を受信して聞くことがまた可能であろう。
【００３３】
この種の環境において、ヘッドホンは、デジタル又はアナログのいずれかとすることができる。ユーザは、例えば、１０，０００の歌を保持する必要はない。それらは、ホットスポットに入ると、歌内仮想ネットワークライブラリに登録することができる。従って、ローカル記憶装置３０６は、制限することが可能である。更に、これは、ネットワークを使用している人の位置同一性情報を提供することになろう。歌は、ダウンロードと同様にストリーミングすることが可能である。歌は、装着型光学装置を用いて購入することが可能である。システムは、どんな種類の装置が使用されているかに依存して、スケーラブルであり得る。
【００３４】
３．電気通信環境
図４は、携帯電話４００として使用される装着型光学装置を示すブロック図である。図４は、携帯電話回路４０２、マイクロホン１０４、フレーム４０８、及び１つ又は複数のレンズ４１０を含む。携帯電話の装着型光学装置４００は、デジタル電話技術を利用して実現することが可能である。装着型光学装置内の回路４０２は、マルチメディアメッセージングサービスによって提供されるような電話番号又は他の視覚情報を、図３に示されているような装着型光学装置のレンズ４１０に表示できるようにするために利用することが可能である。図５は、図４の携帯電話回路を示すブロック図である。図５は、ノイズキャンセル回路５０２、音声認識回路５０４、発信者番号通知回路５０６、話者認識回路５０８、及びメディア処理回路５０９を含む。電話番号は、メディアフォーカル１００の一部としてのデジタル回路４０２を介して活性化することが可能である。更に、回路は、環境において別の方法でカメラに結合されるデジタル信号プロセッサを介して、真にデジタルにすることが可能である。上記のシステムは、マイクロホン１０４の使用を介した音声記録を可能にするであろうし、音声認識回路５０４の使用を介した音声認識を可能にするであろうし、それは、様々な方法で携帯電話上の信号調整を可能にするであろう。
【００３５】
携帯電話環境４０２は、既存の技術を用いて改善のための複数の領域を提供する。最初に、携帯電話の使用における主な困惑の１つは、ユーザが、背景雑音等故に、大声で話さなければならないことである。この問題、即ち、前述の背景雑音及び他の課題故の、話者の口に対する携帯電話のマイクロホンの配置を含むこの問題には、様々な理由がある。鼻又は口の近くなどの装着型光学装置上にマイクロホン１０４を戦略的に配置することによって、ユーザは、それほど大声で話す必要がなくなる。マイクロホンはまた、フリップダウンマイクロホンに位置することが可能である。更に、ノイズキャンセル回路５０２は、背景雑音を除去するために利用することが可能である。マイクロホンの能力は、ノイズ除去技術を利用するという利点を含むことになろう。装着型光学装置に配置されるボタンは、装着型光学装置の機能を制御するために用いることができる。最後に、マイクロホン１０４は、話者がそれほど大声で話す必要がないように、ウィスパーテクノロジーを利用することが可能である。
【００３６】
装着型光学装置は、好ましい実施形態において、音声認識回路５０４及び発信者番号通知回路５０６を含むことになろう。好ましい実施形態において聞き話すための習慣的なものは、眼鏡の耳及び鼻当てパッド部分に位置することになろう。再び図３を参照すると、好ましい実施形態における携帯電話用の電子機器は、装着型光学装置のフレーム３０８内に存在することになろう。更に、装着型光学装置は、完全に統合された情報バー３０２を含むことになろう。最後に、図５に示されているような話者認識アルゴリズム５０８が、ユーザの声だけが認識され得るようにし、背景雑音は、キャンセルされることになろう。従って、話者のユニークな特徴が、可聴モデルを介して提供される。
【００３７】
これは、様々な方法を用いて実行することができる。例えば、ユーザの声を分析し、分析をノイズキャンセルと組み合わせることである。別の例において、ユーザは、穏やかに話し、且つノイズをキャンセルすることができ、装置の位置を利用する指向性マイクロホンが用いられる。
【００３８】
メディアフォーカル及びＭＰ３プレーヤ環境と同様に、デジタルクライアント／サーバ又はＢｌｕｅｔｏｏｔｈ（登録商標）／ｗｉｆｉモデルが、装着型光学装置を外部通信設備にリンクするように適合され得る。かかる設備は、デジタル携帯電話、ＰＤＡ若しくはｗｉｆｉ使用可能ＰＣ、又は他の装置を含むことが可能である。かかる実施形態は、ボイスメール、スクリーンで見られる電子メール、テキストからスピーチへのオーディオ電子メール変換、マルチメディアメッセージングサービス、及び他のデータソースの点検を可能にし得る。
【００３９】
無線又はＢｌｕｅｔｏｏｔｈ（登録商標）相互接続はまた、ＶＯＩＰ眼鏡を携帯電話の代わりに利用できるようにし得る。無線リンクによって可能にされる他の機能は、アイウエアをＭＰ３装置、ｉＰｏｄ、プリンタ、無線／有線ＴＶ、クーポンなどに連結できるようにし得る。また、「ＰＤＡ眼鏡」は、内蔵の時刻表示、アラームカレンダ、ＰＣ又はネットワークソースとのインターフェース、スピーカなどを提供することが可能である。
【００４０】
上記の説明から分かるように、デジタルアイウエアは、Ｌｅｗｉｓによる視標追跡能力を備えたデジタルアイウエアの初期の革新（２００８年２月に出願の’１８５）から、より複雑なレンズ及び通信／表示機能を備えたアイウエア（２００９年１１月に出願されたＬｅｗｉｓの’５５６）へ、更なる向上及び能力（２０１１年４月に出願されたＬｅｗｉｓの’５９４）への急速に発展する分野である。技術が、センサ、カメラ、プロセッサ、及び回路をより小さくするように発展すると共に、ますます多くの能力が、デジタルアイウエアを用いて実現できるようになる。この改善されたデジタルアイウエアは、優れた視力改善及びモバイル広告から、歯科／医療処置並びに物理的及びインターネットナビゲーションにおける使用にわたる重要な領域を解決するために用いることができる。改善されたアイウエアの用途及び価値は、拡張現実感、ソーシャルネットワーキング、メッセージング、及び通信と組み合わされた場合に、更に一層向上される。
【００４１】
レンズ及びフィルタ統合のための新素材の導入及び使用と共に、デジタルアイウエアの新しい改善及び能力を更に実現することができる。これらの材料は、１つ又は複数のレンズ材料層及び受動若しくは能動表示又は投射ベースの実装形態と共に、ＯＬＥＤ材料、ＬＥＤ材料、透明ＬＥＤ材料、可撓性ＬＥＤ材料、結晶材料、プリズム材料、ホログラフィ材料、偏光材料、及び半透明材料から、電界屈折材料、電界回折材料、電界反射材料、複合屈折材料における進歩を含む。
【００４２】
これらの新しい能力と共に、光学及び知覚パラメータの重要な新しいセットが、アイウエアの更なる使用及び価値を向上させ、且つ授業、スポーツ、健康、及び知覚の改善のために利用できる重要な改善につながる入力、制御又はフィードバック要素として測定し利用することができる。
【００４３】
従って、装着型光学装置用にこれらの改善された特徴を提供する実施形態に従うシステム及び方法が開示される。ここで、これらの特徴及び実施形態をより詳細に説明するために、以下の議論と共に以下の説明に触れる。これらの改善に関連する重要な特徴は、装着型光学装置と共に利用できる様々な知覚パラメータを提供することである。知覚パラメータの例は、限定するわけではないが、光学表現、音声、脳波、環境、オーディオ、ビデオ、ナビゲーション、拡張現実感、アルゴリズム、空間、認識、解釈を含む。
【００４４】
図５Ｂは、知覚最適化システム５５０を示す。知覚最適化システム５５０は、装着型光学装置の視覚表示要素を提供するために、光学パラメータ測定値、現実世界入力、デジタルメディア入力、表現パラメータ測定値、光学パラメータ測定フィードバック、他のパラメータ測定値を含む様々な入力を受信する。光学パラメータ測定値は、例えば、毛様体、瞳、角膜、水晶体、虹彩、目蓋、網膜測定値を含む。現実世界入力は、例えば、１つ又は複数のマイクロホン又はカメラからの入力とすることが可能である。デジタルメディア入力は、例えば、デジタルオーディオ、デジタルビデオ、グラフィックス、画像、及び拡張現実感からとすることが可能である。他の知覚パラメータは、例えば、匂い、触覚、脳波、ユーザの体温／水分、ユーザの近くの環境条件とすることが可能である。光学フィードバックは、網膜／虹彩の力学及び／又は水晶体毛様体の力学に関して受信された情報を通して提供することが可能である。
【００４５】
図５Ｃは、実施形態に従って、装着型光学装置アーキテクチャ５６０を示す。アーキテクチャは、複数のセンサを自らの様々な領域に含むフレーム５６２を含む。生体センサは、血圧センサ６１７、温度センサ６１８、ＥＥＧセンサ６１６などを含む。環境センサ６１５もまた設けられる。フレームの様々な領域にマイクセンサ６０６，６０７及び６１１が存在する。フレーム５６２に含まれるのは、対象物を検出するリアカメラ、フロントカメラ及びサイドカメラ６０６，６０７、６１１である。レンズ内には、レンズディスプレイ６０１がある。その上には、ディスプレイプロジェクタ６２０が、レンズディスプレイ６０１上に画像を投射するために設けられる。レンズディスプレイ６０１は、単一ユニット又は多重ユニットレンズとすることができる。アーキテクチャ５６０のブリッジ上に、指向性照明ユニット６０３と同様に赤外線センサ６０２が存在する。顔面動作及び口動作センサ６０４及び／又はカメラが、アーキテクチャ５６０のレンズホルダに配置される。装着された場合に、スピーカ及びｎ伸縮スピーカ６１０がフレームに配置される。スピーカ６１０は、ヘッドバンドと共に適所に保持することが可能である。その上に、外耳スピーカ／／振動要素６１２が設けられる。制御通信ユニット６０８が、アーキテクチャ５６０を制御するために利用される。電源ユニットが、アーキテクチャをイネーブルするために利用され得る。典型的に、電源ユニット６１３は、充電式バッテリを含む。バッテリは、限定するわけではないが、例えば、充電装置ラップトップ、タブレット又はデスクトップＰＣへのＵＳＢコネクタなどのコネクタを介して充電することができる。更に、装置は、装置に配置されている太陽電池による太陽光発電とすることが可能であり、又は太陽電池は、その充電を容易にするために、衣類（即ち、例えば帽子、シャツ若しくはズボン）に配置することが可能である。アーキテクチャ５６０は、指向性照明ユニット６０３、匂いセンサ６０５、及び伸縮可能なユーザマイクロホン６１９を含む。
【００４６】
実施形態において、センサは、ジャイロスコープ、加速度計、トルクセンサ、重量センサ、圧力センサ、磁力計、温度センサ、光センサ、カメラ及びマイクロホン、ＧＰＳ、無線検出、高度センサ、血圧、心拍数センサ、生体センサ、無線周波数識別（ＲＦＩＤ）、近距離無線通信（ＮＦＣ）、移動通信、Ｗｉ−Ｆｉ、歪みゲージ、指紋センサ、匂いセンサ、ガスセンサ、化学センサ、色センサ、音センサ、音響センサ、紫外線センサ、電界センサ、磁界センサ、重力センサ、風速センサ、風向センサ、コンパスセンサ、ジオロケータセンサ、偏光センサ、赤外線エミッタセンサのいずれか又は任意の組み合わせを含んでも良い。
【００４７】
このアーキテクチャは、Ａｎｄｒｏｉｄ又はＩＯＳなどの従来のモバイルオペレーティングシステムと共に、又は更なる能力及び改善された知覚のための光学パラメータ及び知覚パラメータを組み込む新しいオペレーティングシステム−眼光学又は知覚オペレーティングシステム（ｅｙｅＰＯＳ）−と共に利用することができる。このアプローチ及び能力を用いることによって、全く新しいクラスのカスタムアプリケーション（「ａｐｐｓ」）が、一方で人間の学習、娯楽及び健康から、新しいナビゲーションシステム（物理的にリンクされた、及びリンクされた検索）及び知覚向上まで改善できる種々の価値のあるアプリケーションに取り組むために、標準モバイルオペレーティングシステム又はｅｙｅＰＯＳ及びｅｙｅＰＯＳシミュレータを用いて生成され得る。ここで、これらの特徴をより詳細に説明するために、以下の説明に触れる。
【００４８】
実施形態による方法及びシステムは、装着型光学装置と共に動的視標追跡を利用することを含み、ユーザに個人化されたパラメータが、動的視標追跡に基づいて提供され得る。知覚パラメータに基づき、客観的及び主観的品質基準を利用して改善を提供することを含む方法及びシステムである。知覚パラメータは、光学表現、音声、脳波、環境、オーディオ、ビデオ、ナビゲーション、拡張現実感、アルゴリズム、空間、認識、解釈のいずれか又は任意の組み合わせを含む。装着型光学装置は、模倣のいずれか又は任意の組み合わせを制御し、知覚パラメータを用いてユーザの知覚生理学を増幅又は拡張する。
【００４９】
装着型光学装置は、１つ又は複数の挿入物を眼鏡に含むことができる。眼鏡は、カッド状の眼鏡を含む。遮光制御が、装着型光学装置に対して利用され得る。遮光制御は、装着型光学装置内の１つ又は複数のプロジェクタによって提供することができる。吸蔵効果が、装着型光学装置のレンズ上に投射され得る。遮光は、周辺エリアが吸蔵又は反転される装着型光学装置のレンズ上で提供することができる。遮光は、偏光フィルタによって提供される。遮光制御は、装着型光学装置内のレンズによって提供することができる。遮光は、光学パラメータを用いて制御することができる。光学パラメータは、毛様体、瞳、角膜、水晶体、虹彩、目蓋、及び網膜測定値のいずれか又は任意の組み合わせを含む。装着型光学装置の色特性、屈折特性、回折特性、透明特性、反射特性のいずれか又は任意の組み合わせを電気的に制御できる材料が、動的視標追跡で利用される。レンズは、透明ＬＣＤ材料、ＬＥＤ材料、ＯＬＥＤ材料、可撓性ＬＥＤ材料、可撓性ＯＬＥＤ材料、透明マトリックス材料、半透明マトリックス材料、プリズムベース材料、ホログラフィ材料、エレクトロルミネセンス材料、電界反射材料、動的フィルタリング材料のいずれか又は任意の組み合わせとすることができる。
【００５０】
装着型光学装置は、エレクトロクロマティック材料を含む。実施形態によるシステム及び方法において、画像情報を目に提供するために、１つ又は複数の要素が、装着型光学装置内で利用される。１つ又は複数の要素は、レンズプロジェクタ、網膜投射のいずれか又は任意の組み合わせを含む。網膜投射又はプロジェクタ＋プリズムは、吸蔵を提供する。
【００５１】
装着型光学装置は、アイウエア用の遮光制御を含む。装着型光学装置において、装着型光学装置によって見られる画像部分は、輝度を制御するために遮光することができる。装着型光学装置のレンズは、制御された偏光レンズ、透明ＯＬＥＤレンズ、又は投射及びプリズムレンズとすることができる。
【００５２】
パラメータは、ユーザの視力、ズーム機能、顕微鏡機能、拡大機能、網膜投射機能を改善するための処方のいずれか又は任意の組み合わせを含んでも良い。装着型光学装置は、シミュレータにおいて利用することができる。実施形態において、装着型光学装置のフォーカルは、動的視標追跡と共に利用される。
【００５３】
パラメータは、ズーム機能、顕微鏡機能、拡大機能、照明機能、網膜投射機能のいずれか又は任意の組み合わせを含むことができる。実施形態において、３６０度の視界を提供することができる。３６０度の視界は、左又は右パニング、上及び下パニング、３次元回転のいずれか又は任意の組み合わせとすることができる。
【００５４】
別の実施形態において、照明機能は、動的視標追跡機構に基づいた特定の領域に向けられる。装着型光学装置のカメラ機能が、制御されたビューイング又は視覚効果用に或る光波をフィルタリングすることができる。フィルタリング機能は、ノイズ低減、偏光、及び創造的効果を制御することを含むことができる。装着型光学装置の機能は、顔焦点又は対象物焦点用の安定性制御の管理を含むことができる。実施形態において、光学パラメータを利用することができる。光学パラメータは、毛様体、瞳、角膜、網膜、水晶体、虹彩測定値のいずれか又は任意の組み合わせを含む。実施形態は、頭部運動を検出することを含んでも良い。音波機構が、装着型光学装置内で利用されても良い。脳波機構が、装着型光学装置内で利用されても良い。磁気波機構が、装着型光学装置内で利用されても良い。
【００５５】
装着型光学装置は、限定するわけではないが、運動競技、ゲーム、ギャンブル、教育、軍事、消防、医科、歯科などを含む様々な環境において利用することができる。ここで、本発明の特徴をより詳細に説明するために、添付の図面に関連して以下の説明に触れる。
【００５６】
図６は、実施形態の視標追跡機構と共に利用可能な目の部分を示す。実施形態において、虹彩、網膜、角膜、瞳、毛様体、及び水晶体は、全て、動的視標追跡機構をイネーブルするために、単独又は組み合わせて利用することができる。
【００５７】
ソーシャルネットワークは、実施形態による装着型光学装置を用いて有利に梃入れすることができる。図７は、装着型光学装置と共に利用されるソーシャルネットワーキングアプリケーション７００を示す。インターネットと同様に、Ｆａｃｅｂｏｏｋ、ＬｉｎｋｅｄＩｎ、Ｔｗｉｔｔｅｒ、Ｓａｌｅｓｆｏｒｃｅ．ｃｏｍ及び他のネットワークのネットワークが、装着型光学装置に接続される。
【００５８】
例えば「友人」であるそれぞれの個人は、装着型光学装置によるハイライトによって識別することができる。個人に関する情報は、装着型光学装置アーキテクチャによって利用される目を用いることによって収集することができる。実施形態において、個人は、選択することができる。個人は、例えば、顔認識、ターゲット個人情報、ＧＰＳ、ＲＦＩＤ、ＮＦＣ、光学情報、音声認識、及びモバイル位置を用いる様々な方法で識別することができる。
【００５９】
図８は、実施形態に従って、装着型光学装置と共に利用されるメッセージングアプリケーション８００を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置は、通信するために、Ｒ２Ｒ、ＮＦＣ、Ｗｉ−Ｆｉ、インターネットを利用することができる。マイクロホンを用いて話すことが可能であり、顔、顎及び鼻の近くのセンサは、メッセージングアプリケーションの制御を提供するために利用することができる。更に、唇の動き及び読唇術は、黙って秘密に音声を伝達するために利用することができる。選択された眼球運動を用いることによって、個人をターゲットにすることができる。
【００６０】
図９は、実施形態９００に従って、運動競技の観客によって利用される装着型光学装置を示す。Ｔｗｉｔｔｅｒ、Ｆａｃｅｂｏｏｋ、インターネットなどのネットワークが、観客に接続される。例えば、観客は、プレー中に、誰がボールを持っているか及びそのコースを見ることができる。ボールの位置と同様に、ボールを持っている者がハイライトされる。他のゲームの得点からのビデオ情報を重ね合わせることができる。ゲーム中のフットボールの位置（スクリメージライン、ファーストダウンライン）に関する情報である。拡張現実感メディアと同様に、ゲームのビデオハイライトを提供することが可能である。
【００６１】
図１０は、実施形態１０００に従って、運動競技プレーヤによって利用される装着型光学装置を示す。Ｔｗｉｔｔｅｒ、Ｆａｃｅｂｏｏｋ、コーチ／トレーナ通信、及び他のプレーヤ通信などのネットワークが、プレーヤに接続される。例えば、観客は、１０２ｍｐｈのカーブが打たれたことを見ることができる。ボールの軌道がハイライトされる。
【００６２】
図１１は、装着型光学装置で利用される拡張現実感情報、ナビゲーション、及び広告アプリケーション１１００を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置は、通信するために、モバイル、Ｒ２Ｒ、ＮＦＣ、Ｗｉ−Ｆｉ、インターネットを利用することができる。一例において、装着型光学装置は、車両で利用される。この例において、装着型光学装置は、例えば、ヘッドセット及びまた車両の後部にスピーカ、マイクロホン及びリアカメラを含む。拡張現実感リアルタイム情報が提供される。例えば、車両が６２ｍｐｈで移動しているという拡張現実感リアルタイム情報が提供される。
【００６３】
自動車のリアカメラからの拡張現実感Ｍｉｒｒｏｒ  Ｌｉｖｅ  Ｖｉｄｅｏがまたあっても良い。読める標識に関し、「迂回路１マイル」が、追加情報もまた提供可能な州／連邦ソースからの緊急拡張現実感標識として示されている。
【００６４】
別の例において、「マクドナルド無料コーヒー」次の出口が、拡張現実感リアルタイム広告として見える。「ステージロード１マイル」もまた、拡張現実感標識として見え、一方で改善された拡張現実感ＧＰＳ及びナビゲーションシステムを一緒に含む音声メッセージ「次の角、ステージロード１マイル」が、運転手に送信される。
【００６５】
図１２は、遠隔装置と共に用いられる装着型光学装置で利用される拡張現実感情報患者データアプリケーション１２００を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置は、通信するために、モバイル、Ｒ２Ｒ、ＮＦＣ、Ｗｉ−Ｆｉ、インターネットを利用することができる。
【００６６】
患者記録及びインターネット技術情報が、装着型光学装置を利用している人のアイピース及びマイクロホンに接続される。医療機能を識別するために、拡張現実感ズームウィンドウを利用する。拡張現実感患者データは、アイウエアを介して人に利用可能にされる。例えばまた、遠隔装置カメラが、歯科医のドリル上で利用されても良い。例えば、歯科医は、正確な歯に集中するために、動的視標追跡機構を利用することができる。
【００６７】
拡張現実感を利用して歯のｘ線のオーバーレイを見ることができる。歯の治療における歯科記録及びインターネット探索の拡張現実感オーバーレイが利用可能である。歯科医は、拡張現実感と共に遠隔ドリルを使用することができる。照明及びズームもまた、拡張現実感ウィンドウと共に利用することができる。
【００６８】
図１３は、装着型光学装置で利用される遮光制御アプリケーション１３００を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置は、通信するために、モバイル、Ｒ２Ｒ、ＮＦＣ、Ｗｉ−Ｆｉ、インターネットを利用することができる。遮光設定は、眼球運動を介して又は自動的に、アイウエアフレーム上の押しボタンを通して選択することができる。遮光は、アイウエアレンズの両端にわたって均一にするか、又は特定の領域若しくはレンズ領域に集中することができる。
【００６９】
実施形態において、ランプ／懐中電灯１３０２が、光を目１３１０に投射する。カメラ１３０６及びアイセンサ１３０８は光を捉える。レンズ１３０４は、透明ＬＣＤ材料、ＬＥＤ材料、ＯＬＥＤ材料、可撓性ＬＥＤ材料、可撓性ＯＬＥＤ材料、透明マトリックス材料、半透明マトリックス材料、プリズムベース材料、ホログラフィ材料、エレクトロルミネセンス材料、電界反射材料、動的フィルタリング材料のいずれか又は任意の組み合わせとすることができる。
【００７０】
光は、装着型光学装置を利用して特定の領域１３１２において吸蔵することができる。カメラ１３０６は、吸蔵される光の位置を決定する（リアルタイム）。アイセンサ１３０８は、目／瞳／網膜の位置を決定する（リアルタイム）。カメラ１３０６／アイセンサ１３０８は、吸蔵される光と目１３１０との間の視線、及びレンズ１３０４上の交差領域（リアルタイム）又はプロジェクタ実施形態から吸蔵を投射する領域を決定する。
【００７１】
図１４は、装着型光学装置１４１０で利用される拡張現実感アプリケーション１４００を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置１４１０は、通信するために、モバイル、Ｒ２Ｒ、ＮＦＣ、Ｗｉ−Ｆｉ、インターネットを利用することができる。
【００７２】
実施形態において、拡張現実感キーボード１４０４が、電話／アイテムを見て、次にまばたきをすること等によって選択されるように見える。動的視標追跡機構によって制御される拡張現実感（ＡＲ）キーボード１４０４が利用される。赤外線カメラ１４０２が、キーのハイライト及びキークリック音など、ＡＲキーボード上のユーザの手、手の動き、指位置、指の動きのいずれかの位置を感知するために用いられる。小さな電話ディスプレイの拡大である拡張現実感ディスプレイ１４０６がレンズ上に存在する。レンズ上にあるように示されている拡張現実感キーボードがまた存在する。
【００７３】
図１５は、装着型光学装置１５１０で利用される物理的なゲームアプリケーション１５００を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置１５１０は、通信するために、モバイル、Ｒ２Ｒ、ＮＦＣ、Ｗｉ−Ｆｉ、インターネットを利用することができる。
【００７４】
実施形態において、装着型光学装置１５１０を装着している人は、ゲーム戦略を分析し、カードを数え、得点を決定し、（ゲーム統計の）分析を行い、且つ拡張現実感オーバーレイ１５０２及び顔認識を利用して他のプレーヤの顔を分析することができる。
【００７５】
図１６は、装着型光学装置１６１０で利用されるオンライン／モバイルゲームアプリケーション１６００の第１の実施形態を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置１６１０は、通信するために、モバイル、Ｒ２Ｒ、ＮＦＣ、Ｗｉ−Ｆｉ、インターネットを利用することができる。
【００７６】
プレーヤ及び相手は、拡張現実感カードを手に持っている。拡張現実感トランプが利用される。拡張現実感及び通信リンク故に、プレーヤは、同じ場所にいる必要がない。ＡＲカードは、手の動きによって持ち上げられても良い。物理学的に調整される拡張現実感カードの動き及び力学が存在する。実施形態において、仮想ゲームボード、背景、及び競技場が存在し得る。
【００７７】
手並びに指の位置及び動きを測定し判断するために、赤外線カメラ１６０２が、眼鏡上に存在する。レンズ上に見える拡張現実感シーン又は力学オーバーレイ１６１２が存在する。
【００７８】
図１７は、装着型光学装置１７１０で利用されるオンライン／モバイルゲームアプリケーション１７００の第２の実施形態を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置１７１０は、通信するために、モバイル、Ｒ２Ｒ、ＮＦＣ、Ｗｉ−Ｆｉ、インターネットを利用することができる。
【００７９】
プレーヤが見るシーンは、実際の現実世界ビデオゲームスクリーンとすることができる。それはまた、（例えばモバイル用の）拡張現実感ビデオゲームスクリーンとして利用することが可能である。更に、それはまた、プレーヤが見るフル３Ｄリアルタイム拡張現実感ゲーム／戦場として利用することが可能である。プレーヤは、拡張現実感ゲームコントローラを使用することができる。ＡＲゲームコントローラ上の手並びに指の位置及び動きを測定し判断するために、赤外線カメラが眼鏡上に存在する。拡張現実感シーン、ＡＲゲームコントローラ、ＡＲ銃、又はＡＲ遠隔制御オーバーレイ１７１２が、眼鏡のレンズ上に見られる。
【００８０】
図１８は、装着型光学装置を利用する遮光制御機構を示す。この実施形態において、目（例えば瞳又は網膜）における変化を測定し、且つ情報を処理システムに送信する１つ又は複数のカメラ１８０６が存在する。その後、処理システム１８０２は、遮光を提供するために、レンズ１８０４上のディスプレイを制御することができる。
【００８１】
図１９は、装着型光学装置と共に光学／知覚オペレーティングシステム１９００を示す。見て分かるように、複数のアプリケーション１９０２−１９１０が、処理システムとインターフェースする。処理システムは、ＣＰＵ、メモリ、コンピュータ制御装置及びＣＰＵ更新システム１９１２を含む。
【００８２】
アプリケーションは、限定するわけではないが、目の処方１９０２、遮光１９０４、グレアアプリケーション１９０６、車両ナビゲーション用のＧＰＳ１９０８、及び医療アプリケーション１９１０を含む。システムは、知覚測定／ジェネレータ１９１４を含むことになろう。これらは、限定するわけではないが、較正ソフトウェア、拡張現実感ソフトウェア、娯楽ソフトウェア、ビデオ／オーディオ会議ソフトウェア、及び外部通信／データベースを含むことになろう。システムはまた、１つ又は複数の装置ドライバを含むことになろう。それらは、限定するわけではないが、ディスプレイドライバ１９１６、光学／センサドライバ１９１８、オペレーティングシステムドライバ１９２０、ネットワークドライバ１９２２、外部遠隔対象物ドライバ１９２４、及びゲーム／娯楽ドライバ１９２６を含む。
【００８３】
図２０は、装着型光学装置２０００のデジタルアーキテクチャの実施形態を説明する。この実施形態において、装着型光学装置アイウエアは、外部ネットワークプラットフォーム／データ／メディアサイト２０１６へのネットワーキングと共に、モバイル、テキスト、Ｒ２Ｒ、インターネット、Ｗｉ−Ｆｉ、Ｆａｃｅｂｏｏｋメッセージ、Ｔｗｉｔｔｅｒのツイートを介してデータを送信するためにモバイル／スマートフォン回路／外部データ通信／及び回路を含む。装着型光学装置は、メモリ記憶装置を備えた処理システム２００２と、光学及び知覚測定用のセンサ２００６と、装置２００４の光学ディスプレイ及び知覚生成ニーズを制御する回路と、ツール、専門カメラ、ＧＰＳ、携帯電話、装着型装置などの遠隔装置へのインターフェース２００８とを含む。
【００８４】
この実施形態において、遮光制御アプリケーション、焦点及びユーザの目の調整処方、及びフットボールなどのゲーム用拡張現実感アプリケーションを含む様々な種類のアプリケーションソフト（「ａｐｐｓ」）２０１８が、装着型光学装置２０００上を走行することができる。インターネットのナビゲーションを駆動するために光学又は知覚パラメータを利用するインターネットブラウザ２０１０は、眼球運動又は顔の表情が所望の情報へのブラウジングプロセスを加速できるように、用いることができる。装着型光学装置２０００は、装置上にあるか、又は装置へのネットワークの１つを介してアクセスできるファイル記憶装置を備えたシステムブラウザ２０１２を含む。
【００８５】
装置２０００は、別個のバッテリ（図示せず）によって電力を供給することができる。バッテリは、限定するわけではないが、例えば、充電装置ラップトップ、タブレット又はデスクトップＰＣへのＵＳＢコネクタなどのコネクタを介して充電することができる。更に、装置２００は、装置２０００上に配置された太陽電池による太陽光発電とするか、又は太陽電池は、その充電を容易にするために、衣類（即ち、例えば帽子、シャツ又はズボン）に配置することが可能である。
【００８６】
図２１は、アプリケーション開発者が使用するためのシステムシミュレータ２１００、及び装着型光学装置の新しいレンズ又は拡張の実施形態を示す。この実施形態において、オペレーティングシステム２１０２用のシミュレータ、レンズシミュレータ２１０４、ディスプレイ２１１４、及びアイウエアエミュレータ２１１６が存在する。光学／知覚測定値２１０６、カメラ信号、並びに他のセンサ及び測定値が、シミュレータへの入力である。次に、開発者アプリケーション又は新しいレンズは、ｉＯＳ、Ａｎｄｒｉｏｄ、及び汎用又は最適化された光学／知覚オペレーティングシステムを含む様々な種類のオペレーティングシステムを備えた様々な種類の装着型選択肢に対してテストすることができる。
【００８７】
図２２Ａ〜図２２Ｆは、装着型光学装置を用いる逆遮光の実施形態を示す。図２２Ａは、携帯電話又はラップトップのスクリーンなど、対象物の可視性を低下させる周囲光によって引き起こされるグレアの問題を示す。図２２Ｃは、電話スクリーンなどのターゲット対象物に対する網膜／角膜及び脳の見る力を低下させる、輝度による虹彩／瞳の収縮を示す。図２２Ｅにおいて、電話スクリーンは、周囲光がスクリーンよりはるかに明るいので、暗く見える。
【００８８】
図２２Ｂは、好み、規則、カメラ画像捕捉、及び対象物認識により、目を介した又は自動的な、電話スクリーンにおけるようなターゲット対象物の選択を示す。図２２Ｄは、アイウエア上のカメラによる対象物の位置及び画像の目による検出及び捕捉を示す。図２２Ｆは、結果としてのグレアの除去又は低減及び対象物の可視性の増加を示し、遮光された又は半透明の背景は、装着型光学装置のユーザから見られるように、リアルタイムで周辺エリア対象物に従う。
【００８９】
図２３は、装着型光学装置を利用する視標追跡照明及び向上した効率の実施形態を示す。アイセンサ及びカメラを用いると、照明源が、装着型光学装置のユーザによって合焦される領域に対応する領域を照明するように、視線及び焦点距離が決定され、且つ指向性照明源を制御するように利用され得る。
【００９０】
図２４は、装着型光学装置を利用するリアルタイム拡張現実感オーバーレイ２４００の実施形態を示す。この実施形態において、情報は、モバイル、テキスト、Ｒ２Ｒ、インターネット、Ｗｉ−Ｆｉ、Ｆａｃｅｂｏｏｋメッセージ、Ｔｗｉｔｔｅｒのツイートを介して送信される。装着型光学装置は、通信するために、モバイル、Ｒ２Ｒ、ＮＦＣ、Ｗｉ−Ｆｉ、インターネットを利用することができる。一例において、装着型光学装置は、車両において利用される。この例において、運転手のアイウエアは、まるで広告が通常の道路沿いの広告看板であるように見える、ユーザに個人化され得る広告をオーバーレイするために拡張現実感を用いる。この例において、リアルタイムに更新される拡張現実感の危険標識は、拡張現実感標識が、装着型アイウエア装置に接続されたネットワークからの情報を用いてリアルタイムに生成されて、道路の危険の前に掲示される。この例はまた、装着型光学装置と共に拡張現実感を用いて、英語からスペイン語への、ナビゲーション警告及び広告看板のリアルタイム翻訳を示す。
【００９１】
従って、装着型光学装置用のこれらの改善された特徴を提供する、実施形態によるシステム及び方法が開示される。ここで、これらの特徴及び実施形態をより詳細に説明するために、以下の議論と共に以下の説明に触れる。これらの改善に関連する重要な特徴は、装着型光学装置で利用できる様々な知覚パラメータを提供することである。知覚パラメータの例は、限定するわけではないが、光学表現、音声、脳波、環境、オーディオ、ビデオ、ナビゲーション、拡張現実感、アルゴリズム、空間、認識、解釈を含む。
【００９２】
提示された実施形態に従って本発明を説明したが、当業者は、実施形態に対する変形が存在し得、それらの変形が本発明の趣旨及び範囲内にあるであろうことを容易に理解されよう。従って、多くの修正が、添付の特許請求の範囲の趣旨及び範囲から逸脱せずに、当業者によってなされ得る。
【図１】
2016515897.tif 000003
【図２】
2016515897.tif 000004
【図３】
2016515897.tif 000005
【図４】
2016515897.tif 000006
【図５Ａ】
2016515897.tif 000007
【図５Ｂ】
2016515897.tif 000008
【図５Ｃ】
2016515897.tif 000009
【図６】
2016515897.tif 000010
【図７】
2016515897.tif 000011
【図８】
2016515897.tif 000012
【図９】
2016515897.tif 000013
【図１０】
2016515897.tif 000014
【図１１】
2016515897.tif 000015
【図１２】
2016515897.tif 000016
【図１３】
2016515897.tif 000017
【図１４】
2016515897.tif 000018
【図１５】
2016515897.tif 000019
【図１６】
2016515897.tif 000020
【図１７】
2016515897.tif 000021
【図１８】
2016515897.tif 000022
【図１９】
2016515897.tif 000023
【図２０】
2016515897.tif 000024
【図２１】
2016515897.tif 000025
【図２２Ａ−２２Ｂ】
2016515897.tif 000026
【図２２Ｃ−２２Ｄ】
2016515897.tif 000027
【図２２Ｅ−２２Ｆ】
2016515897.tif 000028
【図２３】
2016515897.tif 000029
【図２４】
2016515897.tif 000030
【国際調査報告】
2016515897.tif 000031